(57)【特許請求の範囲】
【請求項１】
無線通信ネットワーク（１００）において無線デバイス（１０５）を動作させる方法であって、
専用モードタイプおよび／または混合モードタイプの複数のキャリア上でマルチキャストデータを受信するように、前記無線デバイス用のキャリアアグリゲーション（ＣＡ）設定を決定すること（６００）であって、専用モードで動作する前記キャリアは、マルチメディアブロードキャストマルチキャストサービス（ＭＢＭＳ）フレームのみを含み、混合モードで動作する前記キャリアは、ユニキャストおよびＦｅＭＢＭＳサブフレームを有する混合セルからのキャリアを含み、前記ＣＡ設定が、
前記複数のキャリアの少なくとも一部分に関して１つまたは複数の受理できる特性の限界を定めるあらかじめ規定されたルール、
複数のキャリア上でのマルチキャストデータの受信および復号に関する前記無線デバイスの能力、ならびに
受理できるＣＡ設定のあらかじめ規定されたセットのうち少なくとも１つに少なくとも部分的に基づいて決定される、前記無線デバイス用のＣＡ設定を決定すること（６００）と、
前記無線デバイスにおいて、前記決定されたＣＡ設定を設定することと、
前記設定されたＣＡ設定の下で１つまたは複数の動作タスクを遂行することとを含む方法。
【請求項２】
前記ＣＡ設定を決定することが、
１つまたは複数のＣＡ設定をサポートするための無線デバイスの能力に対応する前記無線デバイス能力を、前記無線通信ネットワークにおける別のノードに送信すること（７０５）であって、
１つまたは複数のＣＡ設定をサポートするための前記無線デバイスの能力が、専用マルチキャスト動作モード中のキャリアの量と、ユニキャストサブフレームおよびＦｅＭＢＳＦＮサブフレームを含む混合セルの量とのうち少なくとも１つを含む、別のノードに送信すること（７０５）を含む、請求項１に記載の方法。
【請求項３】
前記ＣＡ設定を決定することが、
前記無線デバイスにおいて、専用キャリアの数量および／または混合モードキャリアの量についてのマルチキャストデータを受信することへの関心を決定すること（８０５）と、
前記決定された関心を、前記無線通信ネットワークにおける前記別のノードに送信すること（８１０）とをさらに含む、請求項２に記載の方法。
【請求項４】
前記ＣＡ設定を決定することが、
前記専用モードタイプまたは前記混合モードタイプの少なくとも１つのキャリアを含む受理できるＣＡ設定を決定すること（９０５）と、
前記受理できるＣＡ設定を設定すること（９１０）とをさらに含む、請求項３に記載の方法。
【請求項５】
前記受理できるＣＡ設定を決定することが、受理できるＣＡ設定のあらかじめ規定されたセットから選択すること（１００５）を含む、請求項４に記載の方法。
【請求項６】
前記受理できるＣＡ設定を決定することが、前記別のネットワークノードから受信された受理できる設定または前記受理できる設定の特性に基づくものである、請求項４に記載の方法。
【請求項７】
前記受理できるＣＡ設定を設定することが、前記無線デバイスによって、マルチキャストデータを伴う前記キャリアを、マルチキャストデータを受信するようにアグリゲートすること（１１０５）を含む、請求項４に記載の方法。
【請求項８】
前記受理できるＣＡ設定を設定することが、
１つまたは複数のＳセルを非活性化することによってＣＣのセットを変更すること（１２０５）と、
サービングセルのセットにおける第１のモードタイプのセルを第２のモードタイプのセルで置換すること（１２１０）であって、前記第１のモードタイプのセルが専用モードタイプおよび混合モードタイプのうち一方であり、
前記第２のモードタイプのセルが前記専用モードタイプおよび前記混合モードタイプのうち他方である、置換すること（１２１０）と、
マルチキャストデータを伴う１つまたは複数のＵＥ作動のキャリアのセットを生成するかまたは拡張すること（１２１５）とのうち少なくとも１つを含む、請求項４に記載の方法。
【請求項９】
前記別のノードに送ることが、ＣＡ設定および／またはマルチキャストキャリアのための適合が行われたかどうかのインジケータを供給すること、ならびに／あるいは設定解除されかつ／または非活性化されたキャリアに関する情報を供給することのうち少なくとも１つを含む、請求項４に記載の方法。
【請求項１０】
前記受理できるＣＡ設定を決定することが、
混合セルを伴うＣＣの数量と、
１つのキャリア当たりのサブフレームのあらかじめ規定された割合の範囲を有するＣＣの数量と、
混合セルのないＣＣの数量と、
活性化または非活性化された混合Ｓセルの数量とのうち少なくとも１つに基づくものである、請求項４に記載の方法。
【請求項１１】
前記１つまたは複数の動作タスクを遂行することが、
ＦｅＭＢＳＦＮサブフレームにおいてマルチキャストデータを受信すること（１３０５）と、
１つまたは複数のサービングセルにおいてユニキャストデータを受信すること（１３１０）と、
あらかじめ規定された性能要件を満たすユニキャストサブフレームにおいて測定を遂行すること（１３１５）と、
あらかじめ規定された性能要件を満たすＦｅＭＢＳＦＮサブフレームにおいて測定を遂行することおよび／または記録すること（１３２０）と、
前記受理できる設定および／または前記キャリアのセットの適合を決定した結果を別のノードに送信すること（１３２５）とのうち少なくとも１つを含む、請求項１から１０のいずれか一項に記載の方法。
【請求項１２】
前記複数のキャリア上でのマルチキャストデータの受信および復号に関する前記無線デバイスの前記能力が、
専用マルチキャスト動作モード中の、および／または混合マルチキャスト動作モードを伴う、キャリアの規定された量を含む、請求項１から１１のいずれか一項に記載の方法。
【請求項１３】
前記複数のキャリア上でのマルチキャストデータの受信および復号に関する前記無線デバイスの前記能力が、
サポートされる混合セルを伴うキャリアおよび／または帯域の数量と、
サポートされる前記ＣＡにおけるキャリアおよび／または帯域の合計の数量と、
サポートされるマルチキャストデータではない、前記ＣＡにおけるキャリアおよび／または帯域の数量と、
サポートされる前記ＣＡにおけるユニキャストサブフレームよりもＭＢＳＦＮサブフレームにおける異なるヌメロロジーを使用する混合セルを伴うキャリアおよび／または帯域の数量と、
マルチキャストデータがアグリゲートされ得るキャリアおよび／または帯域の数量と、
サポートされる前記ＣＡにおける合計のＭＢＳＦＮ領域、または固有の特性もしくは固有のＭＢＳＦＮ設定を伴うＭＢＳＦＮ領域の数量とのうち少なくとも１つを含む、請求項１から１２のいずれか一項に記載の方法。
【請求項１４】
ＦｅＭＢＭＳサブフレームが、１．２５ＫＨｚ間隔のサブキャリアを含む第１のヌメロロジーを使用してマルチキャストデータを送信するサブフレームを含む、請求項１から１３のいずれか一項に記載の方法。
【請求項１５】
前記第１のヌメロロジーが、約８００マイクロ秒のシンボル期間および約２００マイクロ秒のＣＰ長さをさらに含む、請求項１４に記載の方法。
【請求項１６】
マルチキャストの動作および／またはデータが、ＭＢＭＳの動作またはデータと、ｅＭＢＭＳの動作またはデータとのうちいずれか１つである、請求項１から１５のいずれか一項に記載の方法。
【請求項１７】
無線通信ネットワーク（１００）においてネットワークノード（１１０）を動作させる方法であって、
専用モードタイプおよび／または混合モードタイプの複数のキャリア上でマルチキャストデータを受信するように、無線デバイス用のキャリアアグリゲーション（ＣＡ）設定を決定すること（１４０５）であって、専用モードで動作する前記キャリアは、マルチメディアブロードキャストマルチキャストサービス（ＭＢＭＳ）フレームのみを含み、混合モードで動作する前記キャリアは、ユニキャストおよびＦｅＭＢＭＳサブフレームを有する混合セルからのキャリアを含み、前記ＣＡ設定が、
前記複数のキャリアの少なくとも一部分に関して１つまたは複数の受理できる特性の限界を定めるあらかじめ規定されたルールと、
複数のキャリア上でのマルチキャストデータの受信および復号に関する前記無線デバイスの能力と、
受理できるＣＡ設定のあらかじめ規定されたセットとのうち少なくとも１つに少なくとも部分的に基づいて決定される、無線デバイス用のＣＡ設定を決定すること（１４０５）と、
前記無線デバイス用に、前記決定されたＣＡ設定を設定すること（１４１０）と、
前記設定されたＣＡ設定の下で１つまたは複数の動作タスクを遂行した結果を取得すること（１４１５）とを含む方法。
【請求項１８】
前記ＣＡ設定を決定することが、前記無線通信ネットワークにおける前記ネットワークノードによって、１つまたは複数のＣＡ設定をサポートする前記無線デバイスの能力に相当する無線デバイス能力を受信すること（１５０５）を含み、
１つまたは複数のＣＡ設定をサポートするための前記無線デバイスの能力が、専用マルチキャスト動作モード中のキャリアの量と、ユニキャストサブフレームおよびＦｅＭＢＳＦＮサブフレームを含む混合セルの量とのうち少なくとも１つを含む、請求項１７に記載の方法。
【請求項１９】
前記ＣＡ設定を決定することが、前記無線通信ネットワークにおける前記ネットワークノードによって、前記無線デバイスが専用キャリアの量および／または混合モードキャリアの量に関するマルチキャストデータを受信することに関心がある、という指示を受信すること（１６０５）をさらに含む、請求項１８に記載の方法。
【請求項２０】
前記ＣＡ設定を決定することが、
前記専用モードタイプまたは前記混合モードタイプの少なくとも１つのキャリアを含む受理できるＣＡ設定を決定すること（１７０５）と、
前記受理できるＣＡ設定を設定すること（１７１０）とをさらに含む、請求項１７に記載の方法。
【請求項２１】
前記受理できるＣＡ設定を決定することが、受理できるＣＡ設定のあらかじめ規定されたセットから選択すること（１８０５）を含む、請求項１９に記載の方法。
【請求項２２】
前記受理できるＣＡ設定を決定することが、前記ネットワークノードにおいて受理できる設定または前記受理できる設定の特性に基づくものである、請求項１９に記載の方法。
【請求項２３】
前記受理できるＣＡ設定を設定することが、マルチキャストデータを伴う前記キャリアを、マルチキャストデータを受信するようにアグリゲートすること（１９０５）を含む、請求項１９に記載の方法。
【請求項２４】
前記受理できるＣＡ設定を設定することが、
１つまたは複数のＳセルを非活性化することによってＣＣのセットを変更すること（２００５）と、
サービングセルのセットにおいて第１のモードタイプのセルを第２のモードタイプのセルで置換すること（２０１０）であって、
前記第１のモードタイプのセルが専用モードタイプおよび混合モードタイプのうち一方であり、前記第２のモードタイプのセルが専用モードタイプおよび混合モードタイプのうち他方である、置換すること（２０１０）ことと、
マルチキャストデータを伴う１つまたは複数のＵＥ作動のキャリアのセットを生成するかまたは拡張すること（２０１５）とのうち少なくとも１つを含む、請求項１９に記載の方法。
【請求項２５】
前記無線通信ネットワークにおける前記ネットワークノードによって、前記無線デバイスがマルチキャストデータを受信することに関心を有するという指示を受信することが、ＣＡ設定および／またはマルチキャストキャリアのための適合が行われたかどうかのインジケータを受信すること、ならびに／あるいは設定解除されかつ／または非活性化されたキャリアに関する情報を受信することのうち少なくとも１つを含む、請求項２０に記載の方法。
【請求項２６】
前記受理できるＣＡ設定を決定することが、
混合セルを伴うＣＣの数量と、
１つのキャリア当たりのサブフレームのあらかじめ規定された割合の範囲を有するＣＣの数量と、
混合セルのないＣＣの数量と、
活性化または非活性化された混合Ｓセルの数量とのうち少なくとも１つに基づくものである、請求項２０に記載の方法。
【請求項２７】
前記１つまたは複数の動作タスクを遂行することが、
ＦｅＭＢＳＦＮサブフレームにおいてマルチキャストデータを受信すること（２１０５）と、
１つまたは複数のサービングセルにおいてユニキャストデータを受信すること（２１１０）と、
あらかじめ規定された性能要件を満たすユニキャストサブフレームにおいて測定を遂行すること（２１１５）と、
あらかじめ規定された性能要件を満たすＦｅＭＢＳＦＮサブフレームにおいて測定を遂行することおよび／または記録すること（２１２０）と、
前記受理できる設定および／または前記キャリアのセットの適合を決定した結果を受信すること（２１２５）とのうち少なくとも１つを含む、請求項１７から２６のいずれか一項に記載の方法。
【請求項２８】
前記複数のキャリア上でのマルチキャストデータの受信および復号に関する前記無線デバイスの前記能力が、
専用ＭＢＭＳ動作モード中の、および／または混合ＭＢＭＳ動作モードを伴う、キャリアの規定された量を含む、請求項１７から２７のいずれか一項に記載の方法。
【請求項２９】
前記複数のキャリア上でのマルチキャストデータの受信および復号に関する前記無線デバイスの前記能力が、
サポートされる混合セルを伴うキャリアおよび／または帯域の数量と、
サポートされる前記ＣＡにおけるキャリアおよび／または帯域の合計の数量と、
サポートされるマルチキャストデータではない、前記ＣＡにおけるキャリアおよび／または帯域の数量と、
サポートされる前記ＣＡにおけるユニキャストサブフレームよりもＭＢＳＦＮサブフレームにおける異なるヌメロロジーを使用する混合セルを伴うキャリアおよび／または帯域の数量と、
マルチキャストデータがアグリゲートされ得るキャリアおよび／または帯域の数量と、
サポートされる前記ＣＡにおける合計のＭＢＳＦＮ領域、または固有の特性もしくは固有のＭＢＳＦＮ設定を伴うＭＢＳＦＮ領域の数量とのうち少なくとも１つを含む、請求項１７から２８のいずれか一項に記載の方法。
【請求項３０】
ＦｅＭＢＭＳサブフレームが、１．２５ＫＨｚ間隔のサブキャリアを含む第１のヌメロロジーを使用してマルチキャストデータを送信するサブフレームを含む、請求項１７から２９のいずれか一項に記載の方法。
【請求項３１】
前記第１のヌメロロジーが、約８００マイクロ秒のシンボル期間および約２００マイクロ秒のＣＰ長さをさらに含む、請求項３０に記載の方法。
【請求項３２】
マルチキャストの動作および／またはデータが、ＭＢＭＳの動作またはデータと、ｅＭＢＭＳの動作またはデータとのうちいずれか１つである、請求項１７から３１のいずれか一項に記載の方法。
【請求項３３】
プログラムコードを含むコンピュータプログラムであって、無線デバイスのプロセッサが前記プログラムコードを実行することにより、前記無線デバイスが請求項１から１６のいずれか一項に記載の方法の動作を遂行する、コンピュータプログラム。
【請求項３４】
プログラムコードを含むコンピュータプログラムであって、無線通信ネットワークにおけるネットワークノードのプロセッサが前記プログラムコードを実行することにより、前記ネットワークノードが請求項１７から３２のいずれか一項に記載の方法の動作を遂行する、コンピュータプログラム。
【請求項３５】
請求項１から３２のいずれか一項に記載の方法を遂行するように適合されたＵＥ（２００）。
【請求項３６】
第１の無線ノード（３００、３２０）を備える無線通信ネットワーク（１００）であって、
前記第１の無線ノード（３００、３２０）が、
無線インターフェースにわたる無線通信をもたらすためのトランシーバ（３０１、３２１）と、
前記トランシーバに結合された少なくとも１つのプロセッサ（３０５、３２５）と、
プログラムコードを記憶して前記少なくとも１つのプロセッサに結合された少なくとも１つの記憶装置とを備え、
前記少なくとも１つのプロセッサが、前記プログラムコードを実行することにより、
専用モードタイプおよび／または混合モードタイプの複数のキャリア上でマルチキャストデータを受信するように、無線デバイス用のキャリアアグリゲーション（ＣＡ）設定を決定することであって、専用モードで動作する前記キャリアは、マルチメディアブロードキャストマルチキャストサービス（ＭＢＭＳ）フレームのみを含み、混合モードで動作する前記キャリアは、ユニキャストおよびＦｅＭＢＭＳサブフレームを有する混合セルからのキャリアを含み、前記ＣＡ設定が、
前記複数のキャリアの少なくとも一部分に関して１つまたは複数の受理できる特性の限界を定めるあらかじめ規定されたルールと、
複数のキャリア上でのマルチキャストデータの受信および復号に関する前記無線デバイスの能力と、
受理できるＣＡ設定のあらかじめ規定されたセットとのうち少なくとも１つに少なくとも部分的に基づいて決定される、前記無線デバイス用のＣＡ設定を決定することと、
前記無線デバイスにおいて、前記決定されたＣＡ設定を設定することと、
前記設定されたＣＡ設定の下で１つまたは複数の動作タスクを遂行することとを含む動作を遂行する、無線通信ネットワーク（１００）。
【請求項３７】
無線インターフェースにわたる無線通信をもたらすためのトランシーバ（２０１）と、
前記トランシーバに結合された少なくとも１つのプロセッサ（２０３）と、
プログラムコードを記憶して前記少なくとも１つのプロセッサに結合された少なくとも１つの記憶装置（２０５）とを備える無線通信デバイス（ＵＥ）（２００）であって、前記少なくとも１つのプロセッサが、前記プログラムコードを実行することにより、
専用モードタイプおよび／または混合モードタイプの複数のキャリア上でマルチキャストデータを受信するように、無線デバイス用のキャリアアグリゲーション（ＣＡ）設定を決定することであって、専用モードで動作する前記キャリアは、マルチメディアブロードキャストマルチキャストサービス（ＭＢＭＳ）フレームのみを含み、混合モードで動作する前記キャリアは、ユニキャストおよびＦｅＭＢＭＳサブフレームを有する混合セルからのキャリアを含み、前記ＣＡ設定が、
前記複数のキャリアの少なくとも一部分に関して１つまたは複数の受理できる特性の限界を定めるあらかじめ規定されたルール、
複数のキャリア上でのマルチキャストデータの受信および復号に関する前記無線デバイスの能力、ならびに
受理できるＣＡ設定のあらかじめ規定されたセットのうち少なくとも１つに少なくとも部分的に基づいて決定される、前記無線デバイスのＣＡ設定を決定することと、
前記無線デバイスにおいて、前記決定されたＣＡ設定を設定することと、
前記設定されたＣＡ設定の下で１つまたは複数の動作タスクを遂行することとを含む動作を遂行する、無線通信デバイス（ＵＥ）（２００）。
【請求項３８】
前記ＣＡ設定を決定することが、無線通信ネットワークにおける別のノードに、１つまたは複数のＣＡ設定をサポートする前記無線デバイスの能力に相当する無線デバイス能力を送ることであって、１つまたは複数のＣＡ設定をサポートするための前記無線デバイスの能力が、専用マルチキャスト動作モード中のキャリアの量と、ユニキャストサブフレームおよびＦｅＭＢＳＦＮサブフレームを含む混合セルの量とのうち少なくとも１つを含む、無線デバイス能力を送ることと、
前記無線デバイスにおいて専用キャリアの量および／または混合モードキャリアの量についてのマルチキャストを受信することへの関心を決定することと、
前記決定された関心を、前記無線通信ネットワークにおける前記別のノードに送信することと、
前記専用モードタイプまたは前記混合モードタイプの少なくとも１つのキャリアを含む受理できるＣＡ設定を決定することと、
前記受理できるＣＡ設定を設定することであって、マルチキャストデータを伴う前記キャリアを、マルチキャストを受信するようにアグリゲートすることを含む、受理できるＣＡ設定を設定することとを含む、請求項３７に記載の無線通信デバイス。
【請求項３９】
前記受理できるＣＡ設定を設定することが、
１つまたは複数のＳセルを非活性化することによってＣＣのセット変更することと、
サービングセルのセットにおける第１のモードタイプのセルを第２のモードタイプのセルで置換することであって、前記第１のモードタイプのセルが専用モードタイプおよび混合モードタイプのうち一方であり、
前記第２のモードタイプのセルが前記専用モードタイプおよび前記混合モードタイプのうち他方である、置換することと、
マルチキャストデータを伴う１つまたは複数のＵＥ作動のキャリアのセットを生成するかまたは拡張することとのうち少なくとも１つを含む、請求項３８に記載の無線通信デバイス。
【請求項４０】
コンピュータ可読コードを含むコンピュータプログラムであって、
無線通信デバイスのプロセッサが前記コンピュータ可読コードを実行することにより、前記無線通信デバイスが、
専用モードタイプおよび／または混合モードタイプの複数のキャリア上でマルチキャストデータを受信するように、無線デバイス用のキャリアアグリゲーション（ＣＡ）設定を決定することであって、専用モードで動作する前記キャリアは、マルチメディアブロードキャストマルチキャストサービス（ＭＢＭＳ）フレームのみを含み、混合モードで動作する前記キャリアは、ユニキャストおよびＦｅＭＢＭＳサブフレームを有する混合セルからのキャリアを含み、前記ＣＡ設定が、
前記複数のキャリアの少なくとも一部分に関して１つまたは複数の受理できる特性の限界を定めるあらかじめ規定されたルールと、
複数のキャリア上でのマルチキャストデータの受信および復号に関する前記無線デバイスの能力と、
受理できるＣＡ設定のあらかじめ規定されたセットとのうち少なくとも１つに少なくとも部分的に基づいて決定される、前記無線デバイス用のＣＡ設定を決定することと、
前記無線デバイスにおいて、前記決定されたＣＡ設定を設定することと、
前記設定されたＣＡ設定の下で１つまたは複数の動作タスクを遂行することとを含む動作を遂行する、コンピュータプログラム。
【請求項４１】
専用モードタイプおよび／または混合モードタイプの複数のキャリア上でマルチキャストデータを受信するために、無線デバイス用のキャリアアグリゲーション（ＣＡ）設定を決定するように設定された、キャリアアグリゲーション（ＣＡ）設定を決定するモジュール（２２０５）であって、専用モードで動作する前記キャリアは、マルチメディアブロードキャストマルチキャストサービス（ＭＢＭＳ）フレームのみを含み、混合モードで動作する前記キャリアは、ユニキャストおよびＦｅＭＢＭＳサブフレームを有する混合セルからのキャリアを含み、前記ＣＡ設定が、
前記複数のキャリアの少なくとも一部分に関して１つまたは複数の受理できる特性の限界を定めるあらかじめ規定されたルール、
複数のキャリア上でのマルチキャストデータの受信および復号に関する前記無線デバイスの能力、ならびに
受理できるＣＡ設定のあらかじめ規定されたセットのうち少なくとも１つに少なくとも部分的に基づいて決定される、ＣＡ設定を決定するモジュール（２２０５）と、
前記無線デバイスにおいて、前記決定されたＣＡ設定を設定するように設定された、決定されたＣＡ設定を設定するモジュール（２２１０）と、
前記設定されたＣＡ設定の下で１つまたは複数の動作タスクを遂行するように設定された遂行モジュール（２２１５）とを備える、ネットワークノード（３００）。
【請求項４２】
専用モードタイプおよび／または混合モードタイプの複数のキャリア上でマルチキャストデータを受信するために、無線デバイス用のキャリアアグリゲーション（ＣＡ）設定を決定するように設定された、キャリアアグリゲーション（ＣＡ）設定を決定するモジュール（２３０５）であって、専用モードで動作する前記キャリアは、マルチメディアブロードキャストマルチキャストサービス（ＭＢＭＳ）フレームのみを含み、混合モードで動作する前記キャリアは、ユニキャストおよびＦｅＭＢＭＳサブフレームを有する混合セルからのキャリアを含み、前記ＣＡ設定が、
前記複数のキャリアの少なくとも一部分に関して１つまたは複数の受理できる特性の限界を定めるあらかじめ規定されたルールと、
複数のキャリア上でのマルチキャストデータの受信および復号に関する前記無線デバイスの能力と、
受理できるＣＡ設定のあらかじめ規定されたセットとのうち少なくとも１つに少なくとも部分的に基づいて決定される、ＣＡ設定を決定するモジュール（２３０５）と、
前記無線デバイス用に、前記決定されたＣＡ設定を設定するように設定された、決定されたＣＡ設定を設定するモジュール（２３１０）と、
前記設定されたＣＡ設定の下で１つまたは複数の動作タスクを遂行した結果を取得するよう設定された取得モジュール（２３１５）とを備える、ネットワークノード（３００）。
【発明の詳細な説明】
【技術分野】
【０００１】
開示される主題は、一般に遠隔通信に関するものである。特定の実施形態は、より詳細には、ネットワークにおけるキャリアアグリゲーション技術を用いる拡張マルチメディアブロードキャストマルチキャストサービス（ＥＭＢＭＳ）の効率的な使用に関する。
【背景技術】
【０００２】
無線通信ネットワークでは、１つのノードに由来するデータが複数のユーザ向けに意図されている場合がある。これらのサービスはブロードキャストまたはマルチキャスティングと呼ばれ、最もよく知られている例にはテレビおよびラジオの放送がある。Ｌｏｎｇ  Ｔｅｒｍ  Ｅｖｏｌｕｔｉｏｎ（ＬＴＥ）のエアインターフェースである、セルの標準的な発展型ユニバーサル地上波無線アクセス（Ｅ−ＵＴＲＡ）は、マルチキャスティングをサポートする。このマルチキャスティングサービスは、マルチメディアブロードキャストマルチキャストサービス（ＭＢＭＳ）と呼ばれる。
【０００３】
ＭＢＭＳでは、データは、いくつかのセルを含み得る同一のＭＢＭＳサービス領域内のすべてのユーザに送信される。ＭＢＭＳ領域におけるネットワークノードの各々が、それ自体のセル領域においてデータを送信し得る。時間同期した送信の場合には、ユーザ端末において受信される信号は、時間分散チャネルにわたる単一ポイントの送信として出現する。ＬＴＥでは、このタイプの送信はＭＢＭＳの単一周波数ネットワーク（ＭＢＳＦＮ）と呼ばれる。ＭＢＳＦＮの利点には、複数のノードから受信するために受信信号の強度が増加すること、同一のＭＢＳＦＮ領域内のセルの境界における干渉が低下すること、およびさらなる多様性が含まれ得る。
【０００４】
次に図５を簡単に参照すると、これは論理チャネル、トランスポートチャネル、および物理チャネルにわたるＭＢＳＦＮのチャネルマッピングを図解するブロック図である。図示のように、マルチキャスト用のトランスポートチャネルはマルチキャストチャネル（ＭＣＨ）と呼ばれ、マルチキャストトラフィックチャネル（ＭＴＣＨ）およびマルチキャスト制御チャネル（ＭＣＣＨ）の２つの論理チャネルから成る。名称が示唆するように、ＭＴＣＨはＭＢＭＳデータを搬送し、ＭＣＣＨは制御情報を搬送する。ＭＣＨは、物理マルチキャストチャネル（ＰＭＣＨ）と称される物理チャネルにマッピングされ、次いでＰＭＣＨがＭＢＳＦＮサブフレームで送信される。
【０００５】
レガシーＭＢＭＳでは、ネットワークは、一般に、ＵＥがＭＢＭＳを受信しているかどうかを認識しなかった。拡張ＭＢＭＳでは、ネットワークは、ユニキャストサブフレーム／ＦｅＭＢＳＦＮサブフレームを伴う混合セルをＵＥ向けに設定する必要があるかどうかということを認識する必要があり、（ｅ）ＭＢＭＳがＵＥによって専用キャリア上で使用されるかどうかいうことさえ認識する必要があり得る。その上、このことがＵＥの全般的なＣＡ設定に影響を与える可能性がある。
【０００６】
背景技術の段落で説明された手法に取り組むことも可能であるが、必ずしも以前に思いつかれた手法または取り組まれた手法ではない。したがって、背景技術の段落で説明された手法は、本明細書で別様に指示されなければ、この出願で開示される本発明の実施形態に対する従来技術ではなく、背景技術の段落における含有によって従来技術と認められるわけではない。したがって、背景技術の段落に含有されているあらゆる説明が、発明を実施するための形態の段落に移動されてよい。
【発明の概要】
【０００７】
例示の方法、ノード、およびシステムは、無線通信ネットワークにおける無線デバイスを動作させる方法を遂行するように動作可能である。そのような方法は、専用モードタイプおよび／または混合モードタイプの複数のキャリア上でマルチキャストデータを受信するために、無線デバイス用のキャリアアグリゲーション（ＣＡ）設定を決定することを含み得る。いくつかの実施形態では、ＣＡ設定は、複数のキャリアの少なくとも一部分に関して１つまたは複数の受理できる特性の限界を定めるあらかじめ規定されたルールと、複数のキャリア上でのマルチキャストデータの受信および復号に関する無線デバイスの能力と、受理できるＣＡ設定のあらかじめ規定されたセットとのうち少なくとも１つに少なくとも部分的に基づいて決定され得る。動作は、決定されたＣＡ設定を無線デバイスにおいて設定することと、設定されたＣＡ設定の下で１つまたは複数の動作タスクを遂行することとを含み得る。
【０００８】
いくつかの実施形態では、ＣＡ設定を決定することは、無線通信ネットワークにおける別のノードに、１つまたは複数のＣＡ設定をサポートする無線デバイスの能力に相当する無線デバイス能力を送ることを含む。いくつかの実施形態によれば、１つまたは複数のＣＡ設定をサポートするための無線デバイスの能力は、専用マルチキャスト動作モード中のキャリアの量、ならびにユニキャストサブフレームおよびＦｅＭＢＳＦＮサブフレームを含む混合セルの量のうち少なくとも１つを含む。
【０００９】
いくつかの実施形態では、ＣＡ設定を決定することは、無線デバイスにおいて専用キャリアの数および／または混合モードキャリアの量に関するマルチキャストデータを受信することへの関心を決定することと、決定された関心を無線通信ネットワークにおける別のノードに送信することとをさらに含む。いくつかの実施形態では、ＣＡ設定を決定することは、専用モードタイプのキャリアまたは混合モードタイプのキャリアのうち少なくとも１つを含む受理できるＣＡ設定を決定することと、受理できるＣＡ設定を設定することとをさらに含む。
【００１０】
いくつかの実施形態では、受理できるＣＡ設定を決定することは、受理できるＣＡ設定のあらかじめ規定されたセットから選択することを含む。いくつかの実施形態によれば、受理できるＣＡ設定を決定することは、別のネットワークノードから受信された受理できる設定または受理できる設定の特性に基づくものである。いくつかの実施形態では、受理できるＣＡ設定を設定することは、無線デバイスによって、マルチキャストデータを伴うキャリアを、マルチキャストデータを受信するようにアグリゲートすることを含む。いくつかの実施形態によれば、受理できるＣＡ設定を設定することは、１つまたは複数のＳセルを非活性化することによってＣＣのセットを変更することと、サービングセルのセットにおける第１のモードタイプのセルを第２のモードタイプのセルで置換することとのうちの少なくとも１つを含む。第１のモードタイプのセルは専用モードタイプおよび混合モードタイプのうち一方であり、第２のモードタイプのセルは専用モードタイプおよび混合モードタイプのうち他方である。動作は、マルチキャストデータを伴う１つまたは複数のＵＥ作動のキャリアのセットを生成するかまたは拡張することをさらに含み得る。
【００１１】
いくつかの実施形態では、別のノードに送ることは、ＣＡ設定および／またはマルチキャストキャリアのための適合が行われたかどうかのインジケータを供給すること、ならびに／あるいは設定解除されかつ／または非活性化されたキャリアに関する情報を供給することのうち少なくとも１つを含む。
【００１２】
いくつかの実施形態によれば、受理できるＣＡ設定を決定することは、混合セルを伴うＣＣの数、１つのキャリア当たりのサブフレームのあらかじめ規定された割合の範囲を有するＣＣの数、混合セルのないＣＣの数、および活性化または非活性化された混合Ｓセルの数のうちの少なくとも１つに基づくものである。
【００１３】
いくつかの実施形態では、１つまたは複数の動作タスクを遂行することは、ＦｅＭＢＳＦＮサブフレームにおいてマルチキャストデータを受信することと、１つまたは複数のサービングセルにおいてユニキャストデータを受信することと、あらかじめ規定された性能要件を満たすユニキャストサブフレームにおいて測定を遂行することと、あらかじめ規定された性能要件を満たすＦｅＭＢＳＦＮサブフレームにおいて測定を遂行することおよび／または記録することと、受理できる設定および／またはキャリアのセットの適合を決定した結果を別のノードに送信することとのうち少なくとも１つを含む。
【００１４】
いくつかの実施形態では、複数のキャリア上でのマルチキャストデータの受信および復号に関する無線デバイスの能力は、専用マルチキャスト動作モード中の、および／または混合マルチキャスト動作モードを伴う、キャリアの規定された量を含む。いくつかの実施形態によれば、複数のキャリア上でのマルチキャストデータの受信および復号に関する無線デバイスの能力は、サポートされる混合セルを伴うキャリアおよび／または帯域の数量と、サポートされるＣＡにおけるキャリアおよび／または帯域の合計の数量と、サポートされるマルチキャストデータではない、ＣＡにおけるキャリアおよび／または帯域の数量と、サポートされるＣＡにおけるユニキャストサブフレームよりもＭＢＳＦＮサブフレームにおける異なるヌメロロジーを使用する混合セルを伴うキャリアおよび／または帯域の数量と、マルチキャストデータがアグリゲートされ得るキャリアおよび／または帯域の数量と、サポートされるＣＡにおける合計のＭＢＳＦＮ領域、または固有の特性もしくは固有のＭＢＳＦＮ設定を伴うＭＢＳＦＮ領域の数量とのうち少なくとも１つを含む。
【００１５】
いくつかの実施形態では、ＦｅＭＢＭＳサブフレームは、１．２５ＫＨｚ間隔のサブキャリアを含む第１のヌメロロジーを使用してマルチキャストデータを送信するサブフレームを含む。いくつかの実施形態によれば、第１のヌメロロジーは、約８００マイクロ秒のシンボル期間および約２００マイクロ秒のＣＰ長さをさらに含む。いくつかの実施形態では、マルチキャストの動作および／またはデータは、ＭＢＭＳの動作またはデータと、ｅＭＢＭＳの動作またはデータとのうち、いずれか１つである。
【００１６】
いくつかの実施形態は、無線通信ネットワークにおけるネットワークノードを動作させる方法を対象とするものである。そのような方法は、専用モードタイプおよび／または混合モードタイプの複数のキャリア上でマルチキャストデータを受信するために、無線デバイス用のキャリアアグリゲーション（ＣＡ）設定を決定することを含み得、ＣＡ設定は、複数のキャリアの少なくとも一部分に関して１つまたは複数の受理できる特性の限界を定めるあらかじめ規定されたルールと、複数のキャリア上でのマルチキャストデータの受信および復号に関する無線デバイスの能力と、受理できるＣＡ設定のあらかじめ規定されたセットとのうち少なくとも１つに少なくとも部分的に基づいて決定される。動作は、決定されたＣＡ設定を無線デバイス用に設定することと、設定されたＣＡ設定の下で１つまたは複数の動作タスクを遂行した結果を取得することとを含み得る。
【００１７】
いくつかの実施形態では、ＣＡ設定を決定することは、無線通信ネットワークにおけるネットワークノードによって、１つまたは複数のＣＡ設定をサポートする無線デバイスの能力に相当する無線デバイス能力を受信することを含む。いくつかの実施形態によれば、１つまたは複数のＣＡ設定をサポートするための無線デバイスの能力は、専用マルチキャスト動作モード中のキャリアの量と、ユニキャストサブフレームおよびＦｅＭＢＳＦＮサブフレームを含む混合セルの量とのうち少なくとも１つを含む。
【００１８】
いくつかの実施形態では、ＣＡ設定を決定することは、無線通信ネットワークにおけるネットワークノードによって、無線デバイスが、専用キャリアの量および／または混合モードキャリアの量に関するマルチキャストデータを受信することに関心があるという指示を受信することをさらに含む。いくつかの実施形態によれば、ＣＡ設定を決定することは、専用モードタイプのキャリアまたは混合モードタイプのキャリアのうち少なくとも１つを含む受理できるＣＡ設定を決定することと、受理できるＣＡ設定を設定することとをさらに含む。
【００１９】
いくつかの実施形態では、受理できるＣＡ設定を決定することは、受理できるＣＡ設定のあらかじめ規定されたセットから選択することを含む。いくつかの実施形態によれば、受理できるＣＡ設定を決定することは、ネットワークノードにおける、受理できる設定または受理できる設定の特性に基づくものである。いくつかの実施形態では、受理できるＣＡ設定を設定することは、マルチキャストデータを伴うキャリアを、マルチキャストデータを受信するようにアグリゲートすることを含む。いくつかの実施形態によれば、受理できるＣＡ設定を設定することは、１つまたは複数のＳセルを非活性化することによってＣＣのセットを変更することと、サービングセルのセットにおける第１のモードタイプのセルを第２のモードタイプのセルで置換することとのうちの少なくとも１つを含む。いくつかの実施形態では、第１のモードタイプのセルは専用モードタイプおよび混合モードタイプのうち一方であり、第２のモードタイプのセルは専用モードタイプおよび混合モードタイプのうち他方である。いくつかの実施形態は、マルチキャストデータを伴う１つまたは複数のＵＥ作動のキャリアのセットを生成するかまたは拡張することをさらに含み得る。
【００２０】
いくつかの実施形態では、無線通信ネットワークにおけるネットワークノードによって、無線デバイスがマルチキャストデータを受信することに関心を有するという指示を受信することは、ＣＡ設定および／またはマルチキャストキャリアに関する適合が行われたかどうかのインジケータを受信すること、ならびに／あるいは設定解除および／または非活性化されたキャリアに関する情報を受信することのうち少なくとも１つを含む。
【００２１】
いくつかの実施形態では、受理できるＣＡ設定を決定することは、混合セルを伴うＣＣの数と、１つのキャリア当たりのサブフレームのあらかじめ規定された割合の範囲を有するＣＣの数と、混合セルのないＣＣの数と、活性化または非活性化された混合Ｓセルの数とのうちの少なくとも１つに基づくものである。
【００２２】
いくつかの実施形態によれば、１つまたは複数の動作タスクを遂行することは、ＦｅＭＢＳＦＮサブフレームにおいてマルチキャストデータを受信することと、１つまたは複数のサービングセルにおいてユニキャストデータを受信することと、あらかじめ規定された性能要件を満たすユニキャストサブフレームにおいて測定を遂行することと、あらかじめ規定された性能要件を満たすＦｅＭＢＳＦＮサブフレームにおいて測定を遂行することおよび／または記録することと、受理できる設定および／またはキャリアのセットの適合を決定した結果を受信することとのうち少なくとも１つを含む。
【００２３】
いくつかの実施形態では、複数のキャリア上でのマルチキャストデータの受信および復号に関する無線デバイスの能力は、専用ＭＢＭＳ動作モード中の、および／または混合ＭＢＭＳ動作モードを伴う、キャリアの規定された量を含む。
【００２４】
いくつかの実施形態では、複数のキャリア上でのマルチキャストデータの受信および復号に関する無線デバイスの能力は、サポートされる混合セルを伴うキャリアおよび／または帯域の数量と、サポートされるＣＡにおけるキャリアおよび／または帯域の合計の数量と、サポートされるマルチキャストデータではない、ＣＡにおけるキャリアおよび／または帯域の数量と、サポートされるＣＡにおけるユニキャストサブフレームよりもＭＢＳＦＮサブフレームにおける異なるヌメロロジーを使用する混合セルを伴うキャリアおよび／または帯域の数量と、マルチキャストデータがアグリゲートされ得るキャリアおよび／または帯域の数量と、サポートされるＣＡにおける合計のＭＢＳＦＮ領域、または固有の特性もしくは固有のＭＢＳＦＮ設定を伴うＭＢＳＦＮ領域の数量とのうち少なくとも１つを含む。
【００２５】
いくつかの実施形態によれば、ＦｅＭＢＭＳサブフレームは、１．２５ＫＨｚ間隔のサブキャリアを含む第１のヌメロロジーを使用してマルチキャストデータを送信するサブフレームを含む。いくつかの実施形態では、第１のヌメロロジーは、約８００マイクロ秒のシンボル期間および約２００マイクロ秒のＣＰ長さをさらに含む。いくつかの実施形態によれば、マルチキャストの動作および／またはデータは、ＭＢＭＳの動作またはデータと、ｅＭＢＭＳの動作またはデータとのうち、いずれか１つである。
【００２６】
いくつかの実施形態が含むコンピュータプログラム製品が備える非一時的コンピュータ可読媒体に記憶されているプログラムコードが無線デバイスのプロセッサによって実行されたとき、無線デバイスは、本明細書で開示された動作を遂行する。
【００２７】
いくつかの実施形態は、本明細書で開示された方法に対応する動作を遂行するように適合されたＵＥを含む。
【００２８】
いくつかの実施形態が対象とする無線通信ネットワークに含まれる第１の無線ノードは、無線インターフェースにわたる無線通信をもたらすためのトランシーバ（３０１、３２１）と、トランシーバに結合された少なくとも１つのプロセッサ（３０５、３２５）と、プログラムコードを記憶して少なくとも１つのプロセッサに結合された少なくとも１つの記憶装置であって、少なくとも１つのプロセッサがこのプログラムコードを実行することによって本明細書で説明された動作を遂行する、少なくとも１つの記憶装置とを備える。動作は、専用モードタイプおよび／または混合モードタイプの複数のキャリア上でマルチキャストデータを受信するために、無線デバイス用のキャリアアグリゲーション（ＣＡ）設定を決定することを含む。ＣＡ設定は、複数のキャリアの少なくとも一部分に関して１つまたは複数の受理できる特性の限界を定めるあらかじめ規定されたルールと、複数のキャリア上でのマルチキャストデータの受信および復号に関する無線デバイスの能力と、受理できるＣＡ設定のあらかじめ規定されたセットとのうち少なくとも１つに少なくとも部分的に基づいて決定され得る。動作は、決定されたＣＡ設定を無線デバイスにおいて設定することと、設定されたＣＡ設定の下で１つまたは複数の動作タスクを遂行することとを含み得る。
【００２９】
いくつかの実施形態が対象とする無線通信デバイスは、無線インターフェースにわたる無線通信をもたらすためのトランシーバと、トランシーバに結合された少なくとも１つのプロセッサと、プログラムコードを記憶して少なくとも１つのプロセッサに結合された少なくとも１つの記憶装置であって、少なくとも１つのプロセッサがこのプログラムコードを実行することによって本明細書で開示された動作を遂行する、少なくとも１つの記憶装置とを備える。動作は、専用モードタイプおよび／または混合モードタイプの複数のキャリア上でマルチキャストデータを受信するために、無線デバイス用のキャリアアグリゲーション（ＣＡ）設定を決定することを含み得る。ＣＡ設定は、複数のキャリアの少なくとも一部分に関して１つまたは複数の受理できる特性の限界を定めるあらかじめ規定されたルールと、複数のキャリア上でのマルチキャストデータの受信および復号に関する無線デバイスの能力と、受理できるＣＡ設定のあらかじめ規定されたセットとのうち少なくとも１つに少なくとも部分的に基づいて決定され得る。動作は、決定されたＣＡ設定を無線デバイスにおいて設定することと、設定されたＣＡ設定の下で１つまたは複数の動作タスクを遂行することとを含み得る。
【００３０】
いくつかの実施形態では、ＣＡ設定を決定することは、無線通信ネットワークにおける別のノードに、１つまたは複数のＣＡ設定をサポートする無線デバイスの能力に相当する無線デバイス能力を送ることを含む。いくつかの実施形態では、１つまたは複数のＣＡ設定をサポートするための無線デバイスの能力は、専用マルチキャスト動作モード中のキャリアの量と、ユニキャストサブフレームおよびＦｅＭＢＳＦＮサブフレームを含む混合セルの量とのうち少なくとも１つを含む。動作は、無線デバイスにおいて、専用キャリアの量および／または混合モードキャリアの量についてのマルチキャストを受信することへの関心を決定すること、決定された関心を、無線通信ネットワークにおける別のノードに送信することと、専用モードタイプまたは混合モードタイプの少なくとも１つのキャリアを含む受理できるＣＡ設定を決定することと、受理できるＣＡ設定を設定することとを含み得る。いくつかの実施形態によれば、受理できるＣＡ設定を設定することは、マルチキャストデータを伴うキャリアを、マルチキャストを受信するようにアグリゲートすることを含む。
【００３１】
いくつかの実施形態では、受理できるＣＡ設定を設定することは、１つまたは複数のＳセルを非活性化することによってＣＣのセットを変更することと、サービングセルのセットにおける第１のモードタイプのセルを第２のモードタイプのセルで置換することとのうち少なくとも１つを含む。いくつかの実施形態によれば、第１のモードタイプのセルは専用モードタイプおよび混合モードタイプのうち一方であり、第２のモードタイプのセルは専用モードタイプおよび混合モードタイプのうち他方である。実施形態は、マルチキャストデータを伴う１つまたは複数のＵＥ作動のキャリアのセットを生成するかまたは拡張することを含み得る。
【００３２】
いくつかの実施形態が対象とするネットワークノードに備わっている、キャリアアグリゲーション（ＣＡ）設定を決定するモジュールは、専用モードタイプおよび／または混合モードタイプの複数のキャリア上でマルチキャストデータを受信するために、無線デバイス用のキャリアアグリゲーション（ＣＡ）設定を決定するように設定されている。いくつかの実施形態では、ＣＡ設定は、複数のキャリアの少なくとも一部分に関して１つまたは複数の受理できる特性の限界を定めるあらかじめ規定されたルールと、複数のキャリア上でのマルチキャストデータの受信および復号に関する無線デバイスの能力と、受理できるＣＡ設定のあらかじめ規定されたセットとのうち少なくとも１つに少なくとも部分的に基づいて決定され得る。動作は、無線デバイスにおいて、決定されたＣＡ設定を設定するように設定された、決定されたＣＡ設定を設定するモジュールと、設定されたＣＡ設定の下で１つまたは複数の動作タスクを遂行するように設定された遂行モジュールとを含み得る。
【００３３】
いくつかの実施形態が対象とするネットワークノードに備わっている、キャリアアグリゲーション（ＣＡ）設定を決定するモジュールは、専用モードタイプおよび／または混合モードタイプの複数のキャリア上でマルチキャストデータを受信するために、無線デバイスのＣＡ設定を決定するように設定されている。いくつかの実施形態では、ＣＡ設定は、複数のキャリアの少なくとも一部分に関して１つまたは複数の受理できる特性の限界を定めるあらかじめ規定されたルールと、複数のキャリア上でのマルチキャストデータの受信および復号に関する無線デバイスの能力と、受理できるＣＡ設定のあらかじめ規定されたセットとのうち少なくとも１つに少なくとも部分的に基づいて決定され得る。実施形態は、無線デバイス向けに決定されたＣＡ設定を設定するように設定された、決定されたＣＡ設定を設定するモジュールと、設定されたＣＡ設定の下で１つまたは複数の動作タスクを遂行した結果を取得するように設定された取得モジュールとを含み得る。
【００３４】
図面は、開示された主題の選択された実施形態を図解するものである。図面では、類似の参照ラベルは類似の特徴を表す。
【図面の簡単な説明】
【００３５】
【図１】いくつかの実施形態によるＬＴＥネットワークの図解である。
【図２Ａ】いくつかの実施形態による無線デバイスの図解である。
【図２Ｂ】いくつかの実施形態による無線デバイスの図解である。
【図３Ａ】本明細書におけるいくつかの実施形態に対応する無線アクセスノードを図解する概略ブロック図である。
【図３Ｂ】本明細書におけるいくつかの実施形態に対応する無線アクセスノードを図解する概略ブロック図である。
【図４】本明細書におけるいくつかの実施形態による仮想無線アクセスノードを図解するブロック図である。
【図５】論理チャネル、トランスポートチャネル、および物理チャネルにわたるＭＢＳＦＮチャネルマッピングを図解するブロック図である。
【図６】本明細書におけるいくつかの実施形態によって無線デバイスを動作させる方法の動作を図解する流れ図である。
【図７】本明細書におけるいくつかの実施形態によって無線デバイスを動作させる方法の動作を図解する流れ図である。
【図８】本明細書におけるいくつかの実施形態によって無線デバイスを動作させる方法の動作を図解する流れ図である。
【図９】本明細書におけるいくつかの実施形態によって無線デバイスを動作させる方法の動作を図解する流れ図である。
【図１０】本明細書におけるいくつかの実施形態によって無線デバイスを動作させる方法の動作を図解する流れ図である。
【図１１】本明細書におけるいくつかの実施形態によって無線デバイスを動作させる方法の動作を図解する流れ図である。
【図１２】本明細書におけるいくつかの実施形態によって無線デバイスを動作させる方法の動作を図解する流れ図である。
【図１３】本明細書におけるいくつかの実施形態によって無線デバイスを動作させる方法の動作を図解する流れ図である。
【図１４】本明細書におけるいくつかの実施形態によって無線デバイスを動作させる方法の動作を図解する流れ図である。
【図１５】本明細書におけるいくつかの実施形態によって無線デバイスを動作させる方法の動作を図解する流れ図である。
【図１６】本明細書におけるいくつかの実施形態によって無線デバイスを動作させる方法の動作を図解する流れ図である。
【図１７】本明細書におけるいくつかの実施形態によって無線デバイスを動作させる方法の動作を図解する流れ図である。
【図１８】本明細書におけるいくつかの実施形態によって無線デバイスを動作させる方法の動作を図解する流れ図である。
【図１９】本明細書におけるいくつかの実施形態によって無線デバイスを動作させる方法の動作を図解する流れ図である。
【図２０】本明細書におけるいくつかの実施形態によって無線デバイスを動作させる方法の動作を図解する流れ図である。
【図２１】本明細書におけるいくつかの実施形態によって無線デバイスを動作させる方法の動作を図解する流れ図である。
【図２２】いくつかの実施形態によって、本明細書で開示されたような動作を遂行するＵＥ向けのモジュールの図解である。
【図２３】いくつかの実施形態によって、本明細書で開示されたような動作を遂行する基地局ネットワークノード向けのモジュールの図解である。
【図２４】いくつかの実施形態によって、本明細書で開示されたような動作を遂行するコアネットワークノード向けのモジュールの図解である。
【発明を実施するための形態】
【００３６】
次に、以下で、発明概念の実施形態の例を示す添付図面を参照しながら、発明概念をより十分に説明する。しかしながら、発明概念は様々な形態で具現され得、本明細書で説明された実施形態に限定されるように解釈されるべきではない。むしろ、これらの実施形態は、この開示が完全に完結するように、また当業者に対して本発明概念の範囲を完全に伝えるように、提供されるものである。これらの実施形態が相互排除ではないことにも留意されたい。ある実施形態からのコンポーネントは、別の実施形態において存在する／使用されると暗に想定されてよい。以下で説明される任意の２つ以上の実施形態が、任意のやり方で互いに組み合わされ得る。その上に、説明された実施形態の特定の詳細は、説明された主題の範囲から逸脱することなく、変更、省略、または拡張が可能である。
【００３７】
基地局、５Ｇ基地局、ＮＲ基地局、ＮｏｄｅＢ、ｇＮｏｄｅ  ＢもしくはｅＮｏｄｅ  ＢおよびＵＥなどの専門用語は非限定的なものと見なされるべきであり、詳細には、２つのものの間の特定の階層関係を意味することはなく、一般に、「ＮｏｄｅＢ」がデバイス１、「ＵＥ」がデバイス２と見なされ、これら２つのデバイスは何かの無線チャネルを通じて互いに通信することに留意されたい。いくつかの実施形態ではネットワークノードという総称が使用される。ネットワークノードは、基地局、アクセスポイント、ＲＲＨ、ＲＲＵ、無線ネットワークノード、ｇＮｏｄｅＢ、送信受信ポイント（ＴＲＰ）、ＮｏｄｅＢまたはｅＮｏｄｅ  Ｂ、コアネットワークノード（たとえばＭＭＥ、ＳＯＮノード、測位ノード、ＭＤＴノード、ＭＣＥ、ＭＢＭＳノードなど）であり得る。いくつかの実施形態では無線デバイスという総称が使用される。無線デバイスは、ＬＴＥ  ＵＥ、ＮＢ−ＩｏＴ  ＵＥ、Ｍ２Ｍ  ＵＥ、Ｖ２Ｖ  ＵＥ、Ｖ２Ｘ  ＵＥ、特定のカテゴリ（たとえばＵＥカテゴリＮＢ１、ＵＥカテゴリＭ１、ＵＥカテゴリ０など）のＵＥなど、任意のタイプのＵＥであり得る。本明細書で使用される無線ノードという総称は、ネットワークノードまたは無線デバイスであり得る。
【００３８】
いくつかの実施形態では動作帯域幅（ＢＷ）という用語が使用される。ネットワークノードは、動作ＢＷにわたって、セルにおける１つまたは複数のＵＥとの間で信号を送信および／または受信する。動作帯域幅は、区別なく、チャネル帯域幅、システム帯域幅、伝送帯域幅、セル帯域幅、セル伝送ＢＷ、キャリア帯域幅などと呼ばれる。動作ＢＷは異なる単位で表現されることがある。単位の例には、ｋＨｚ、ＭＨｚ、リソースブロックの数、リソースエレメントの数、サブキャリアの数、物理チャネルの数、周波数リソースユニットの数などがある。ＲＡＴが動作する周波数チャネルまたはキャリア周波数は、たとえばＬＴＥにおけるＥ−ＵＴＲＡ  ＡＲＦＣＮ（ＥＡＲＦＣＮ）など絶対無線周波数チャネル番号（ＡＲＦＣＮ）としても知られているチャネル番号によって、列挙されるかまたはアドレス指定される。
【００３９】
いくつかの実施形態では、使用される信号は、アップリンク（ＵＬ）信号、ダウンリンク（ＤＬ）信号、またはサイドリンク（ＳＬ）信号であり得る。無線デバイスによって送信されるアップリンク信号は、物理信号または物理チャネルであり得る。アップリンク物理信号の例にはＳＲＳ、ＤＭＲＳなどがある。アップリンク物理チャネルの例には、ＰＵＣＣＨ、ＰＵＳＣＨ、ＮＰＵＳＣＨ、ＮＰＵＣＣＨ、ＰＲＡＣＨ、ＮＰＲＡＣＨなどがある。ネットワークノードによって送信されるＤＬ信号は、物理信号または物理チャネルであり得る。ＤＬ物理信号の例には、ＣＲＳ、ＤＭＲＳ、ＰＲＳ、ＣＳＩ−ＲＳなどがある。ダウンリンク物理チャネルの例には、ＰＤＣＣＨ、ＰＤＳＣＨ、ＮＰＤＳＣＨ、ＮＰＤＣＣＨ、ＰＭＣＨなどがある。直接的なＵＥツーＵＥ動作（別名Ｄ２Ｄ動作、Ｖ２Ｖ動作など）が可能なＵＥによって送信されるサイドリンク（ＳＬ）信号は、物理信号または物理チャネルであり得る。ＳＬ物理信号の例にはＳＬＳＳ、ＤＭＲＳなどがある。ＳＬ物理チャネルの例には、ＰＳＳＣＨ、ＰＳＣＣＨ、ＰＳＤＣＨ、ＰＳＢＣＨなどがある。
【００４０】
本明細書で使用される「ヌメロロジー」という用語は、信号特性を規定する任意の１つまたは複数の属性を指し得る。そのような属性の例には、サブキャリア間隔、シンボル期間、ＣＰ期間（別名ＣＰ長さ）、タイムスロット期間、サブフレーム期間、１つの物理チャネル当たりのサブキャリアの数、帯域幅の範囲内の物理チャネルの数などがある。本明細書で使用される物理チャネルは、任意の時間−周波数無線リソースを指す。物理チャネルの例には、リソースブロック（ＲＢ）、物理ＲＢ（ＰＲＢ）、仮想ＲＢ（ＶＲＢ）などがある。
【００４１】
本明細書で使用される「時間リソース」という用語は、時間の長さで表現された任意のタイプの物理リソースまたは無線リソースに対応し得る。時間リソースの例には、シンボル、タイムスロット、サブフレーム、短いサブフレーム、ミニスロット、無線フレーム、ＴＴＩ、インタリービング時間などがある。
【００４２】
ＦｅＭＢＳＦＮサブフレームという用語は、たとえば、２．１．１．１節に記述されたｅＭＢＭＳ拡張によって（たとえばサブフレーム＃０、＃４、＃５、＃９などにおいて、最新のヌメロロジー、１．２５ｋＨｚのサブキャリア間隔を用いて）設定されたＭＢＳＦＮサブフレームを含み得る。混合セルのユニキャストサブフレーム／ＦｅＭＢＳＦＮサブフレームという用語は、たとえば、１つまたは複数のＦｅＭＢＳＦＮサブフレームと、少なくともユニキャストデータまたはＰＤＳＣＨを伴う１つまたは複数のサブフレームとを送信するセルを含み得る。
【００４３】
本明細書で使用される「無線ノード」は、無線アクセスノードまたは無線デバイスのいずれかである。
【００４４】
本明細書で使用される「無線アクセスノード」は、無線で信号を送信および／または受信するように動作する移動体通信ネットワークの無線アクセスネットワークにおける任意のノードである。無線アクセスノードのいくつかの例には、それだけではないが、基地局（たとえば第３世代パートナーシッププロジェクト（３ＧＰＰ）のＬｏｎｇ  Ｔｅｒｍ  Ｅｖｏｌｕｔｉｏｎ（ＬＴＥ）ネットワークにおける拡張型または発展型Ｎｏｄｅ  Ｂ（ｅＮＢ））、大電力または大規模な基地局、低電力の基地局（たとえば小型基地局、超小型基地局、住宅ｅＮＢなど）、および中継ノードが含まれる。
【００４５】
本明細書で使用される「コアネットワークノード」は、コアネットワーク（ＣＮ）における任意のタイプのノードである。コアネットワークノードのいくつかの例には、たとえばモビリティ管理エンティティ（ＭＭＥ）、パケットデータネットワーク（ＰＤＮ）ゲートウェイ（Ｐ−ＧＷ）、サービス性能エクスポージャ機能など（ＳＣＥＦ）が含まれる。
【００４６】
本明細書で使用される「無線デバイス」は、移動体通信ネットワークにおいて、移動体通信ネットワークにアクセスする（すなわちサーブされる）ために、別の無線デバイスまたはネットワークノードとの間で信号を無線で送信する、および／または受信することができる任意のタイプのデバイスである。無線デバイスのいくつかの例には、それだけではないが、３ＧＰＰネットワークにおけるユーザ機器デバイス（ＵＥ）、マシンタイプ通信（ＭＴＣ）デバイス、ＮＢ−ＩｏＴデバイス、ＦｅＭＴＣデバイス、などが含まれる。
【００４７】
本明細書で使用される「ネットワークノード」は、使用される任意のノードであり、ＵＥおよび／または別のネットワークノードと通信する任意のタイプの無線ネットワークノードまたは任意のネットワークノードに対応することができるものである。ネットワークノードの例には、ＮｏｄｅＢ、ＭｅＮＢ、ＳｅＮＢ、ＭＣＧまたはＳＣＧに属するネットワークノード、基地局（ＢＳ）、ＭＳＲ  ＢＳなどマルチスタンダード無線（ＭＳＲ）の無線ノード、ｅＮｏｄｅＢ、ネットワークコントローラ、無線ネットワークコントローラ（ＲＮＣ）、基地局コントローラ（ＢＳＣ）、中継器、中継器を制御するドナーノード、ベーストランシーバ局（ＢＴＳ）、アクセスポイント（ＡＰ）、送信ポイント、送信ノード、ＲＲＵ、ＲＲＨ、分散型アンテナシステム（ＤＡＳ）のノード、コアネットワークノード（たとえばＭＳＣ、ＭＭＥなど）、Ｏ＆Ｍ、ＯＳＳ、ＳＯＮ、測位ノード（たとえばＥ−ＳＭＬＣ）、ＭＤＴなどがある。
【００４８】
本明細書で使用されるユーザ機器（ＵＥ）という非限定的な用語は、移動体通信システムにおいてネットワークノードおよび／または別のＵＥと通信する任意のタイプの無線デバイスを指す。ＵＥの例には、ターゲットデバイス、デバイスツーデバイス（Ｄ２Ｄ）ＵＥ、マシンタイプＵＥまたはマシンツーマシン（Ｍ２Ｍ）通信が可能なＵＥ、ＰＤＡ、ＰＡＤ、タブレット、モバイル端末、スマートフォン、ノートパソコンを組み込んだ機器（ＬＥＥ）、ノートパソコンを取り付けた機器（ＬＭＥ）、ＵＳＢドングル、ＰｒｏＳｅ  ＵＥ、Ｖ２Ｖ  ＵＥ、Ｖ２Ｘ  ＵＥなどがある。
【００４９】
本明細書で使用される非限定的な用語である無線アクセスネットワーク（ＷＡＮ）ノードすなわち無線アクセスネットワーク（ＲＡＮ）ノードは、ＵＥまたはネットワークノード（たとえばアクセスポイント、ＢＳなど）であり得る。ＷＡＮノードは、区別なくセルノード、ＮＷソースノードなどと呼ばれ得る。
【００５０】
本明細書で与えられる説明は、３ＧＰＰの移動体通信システムに的を絞っており、そのため、３ＧＰＰ  ＬＴＥの用語または３ＧＰＰ  ＬＴＥの用語に類似の用語がしばしば使用されることに留意されたい。しかしながら、本明細書で開示される概念は、ＬＴＥまたは３ＧＰＰのシステムに限定されない。その上に、本明細書の説明では特に第５世代（５Ｇ）の概念に関して「セル」という用語が参照されることがあるが、セルの代わりにビームが使用されてもよく、そのため、本明細書で説明される概念はセルとビームの両方に同様に適用可能であることに留意することが重要である。
【００５１】
いくつかの実施形態によれば、ＭＢＭＳは、ＭＢＭＳ専用キャリア周波数または共有される（すなわちＭＢＭＳとユニキャストの間で共有される）キャリア周波数上で提供され得る。前者の場合、すべてのサブフレームがＭＢＭＳ信号送信用に使用され得る。後者の場合、ＭＢＭＳは時分割多重のやり方でユニキャストサービスと共有されてよく、すなわち、ＭＢＭＳとユニキャストサービスに対して、無線フレームの内部の異なるサブフレームが使用される。ＭＢＭＳサブフレームはネットワークノードによって設定可能である。どのサブフレームがセルにおけるＭＢＭＳに設定されるのかという情報は、ネットワークノードによってシグナリングされる。ＭＢＭＳ用に、すなわちＭＢＳＦＮサブフレームとして設定され得るサブフレームの例には、ＬＴＥ  ＦＤＤ用のサブフレーム＃１、＃２、＃３、＃６、＃７および＃８と、ＬＴＥ  ＴＤＤ用のサブフレーム＃３、＃４、＃７、＃８および＃９とがある。これは、サブフレーム＃０および＃５が、ＦＤＤとＴＤＤの両方において常にユニキャストサブフレームであることを意味する。加えて、ＬＴＥ  ＦＤＤの場合のサブフレーム＃４および＃９、ならびにＬＴＥ  ＴＤＤの場合のサブフレーム＃１、＃２および＃６もユニキャストサブフレームである。ユニキャストサブフレームはユニキャストサービス用にのみ使用される。
【００５２】
ＭＢＳＦＮサブフレームは、最初の制御領域およびＭＣＨの送信用に使用されるＭＢＳＦＮ領域から成る。制御領域が有する１つまたは２つのＯＦＤＭシンボルは、通常の４．７マイクロ秒のサイクリックプレフィックス長さと、コンテンツに依拠して異なる構造を有し得るＭＢＳＦＮ領域の長さとを使用する。
【００５３】
ＭＢＳＦＮ信号の物理層は、（混合モードとしても知られている共有モードにおける）１６．７マイクロ秒の拡張されたサイクリックプレフィックスを伴う１５ｋＨｚのサブキャリア間隔、または（専用モードにおける）３３．３マイクロ秒の長いサイクリックプレフィックスを伴う７．５ｋＨｚのサブキャリア間隔を用いるＯＦＤＭに基づくものある。
【００５４】
ｅＮｏｄｅ  Ｂ（ｅＮＢ）は、マルチセル／マルチキャスト協調エンティティ（ＭＣＥ）と呼ばれるネットワークエンティティによって、ＭＢＭＳスケジューリング情報を用いて設定され得る。ＭＣＥは個別のネットワークノードでよく、ｅＮＢ内に存在してもよい。ＭＣＥとｅＮＢはＭ２インターフェースを通じて通信する。Ｍ２インターフェースはｅＮＢとＭＣＥの間の論理インターフェースである。
【００５５】
大きなサイト間距離のシナリオにおけるＭＢＭＳのより効率的な使用のためにさらなる拡張が提供される。たとえば、拡張ＭＢＭＳ（ｅＭＢＭＳ）向けの関連する規格の下で、２００マイクロ秒のＣＰ長さを伴う８００マイクロ秒の最新のシンボル長さが採用される可能性がある。ＵＥは、１．２５ｋＨｚのサブキャリア間隔のヌメロロジーと７．５ｋＨｚのサブキャリア間隔のヌメロロジーの両方に関して、ＭＢＳＦＮサブフレームにはユニキャスト制御領域がないと想定することができる。
【００５６】
１５ｋＨｚ、７．５ｋＨｚおよび１．２５ｋＨｚのヌメロロジーをサポートする専用モードについては、ＳＩは、４０ミリ秒の一定の周期性を伴う発見参照信号に基づいてセル収集サブフレーム（ＣＡＳ）でブロードキャストされ得る。
【００５７】
１５ｋＨｚおよび１．２５ｋＨｚ（後に７．５ｋＨｚも追加される可能性がある）のヌメロロジーをサポートする混合モードについては、ＳＩは、ユニキャスト制御領域を有するサブフレームで供給される。そのような動作モードについては、数を増加したＭＢＳＦＮサブフレームが使用され得る（サブフレーム＃０および＃５は常にｎｏｎ／ＭＢＳＦＮとなり、また、サブフレーム＃４および＃９がＭＢＳＦＮサブフレームとして設定され、かつ／またはｅＭＢＭＳ向けに１．２５ｋＨｚのヌメロロジーを使用する場合には、セルはＳセルとして設定される）。
【００５８】
マルチキャリア動作またはキャリアアグリゲーション（ＣＡ）動作において、ＵＥは、複数のサービングセルとの間で少なくともデータ（また場合により上位層シグナリング）を受信および／または送信することができる。各サービングセルのキャリアは、一般にコンポーネントキャリア（ＣＣ）と呼ばれる。キャリアアグリゲーション（ＣＡ）という用語は、「マルチキャリアシステム」、「マルチセル動作」、「マルチキャリア動作」、「マルチキャリア」送信および／または「マルチキャリア」受信と呼ばれることもある（たとえば区別なくこう呼ばれる）。ＣＣのうち１つは、１次コンポーネントキャリア（ＰＣＣ）、１次キャリアおよび／またはアンカキャリアとして指定され得る。残りのＣＣは、２次コンポーネントキャリア（ＳＣＣ）、２次キャリアおよび／または補足キャリアとして指定され得る。ＰＣＣ上のサービングセルは１次セル（ＰＣｅｌｌ）または１次サービングセルと称され得、ＳＣＣ上のサービングセルは２次セル（Ｓセル）または２次サービングセルと称され得る。ＰＣｅｌｌはアップリンク方向とダウンリンク方向の両方に存在し得る。単一のＵＬ  ＣＣがある場合には、ＰＣｅｌｌはこのＣＣ上になければならない。ＣＣは、同じ地理的位置またはサイトに配置されること、異なる地理的位置またはサイトに配置されること、および／またはそれらの任意の組合せが可能である。ＣＡにおけるすべてのＣＣが、同一の全２重モード（たとえばＦＤＤ  ＣＡまたはＴＤＤ  ＣＡ）に属し得る。いくつかの実施形態によれば、ＣＣのうちいくつかはＦＤＤに属し得、他のものは、ＴＤＤ−ＦＤＤ  ＣＡと称されることがあるＴＤＤに属し得る。
【００５９】
デュアルコネクティビティ（ＤＣ）はＣＡの特殊なケースであり、ＵＥに割り当てられたＣＣは、たとえばマスタｅＮＢ（ＭｅＮＢ）および２次ｅＮＢ（ＳｅＮＢ）などの異なるｅＮｏｄｅＢといった異なる基地局サイトから動作し得る。ＭｅＮＢにおいてＰＣｅｌｌと呼ばれる少なくとも１つのサービングセル、およびＳｅＮＢにおいてＰＳＣｅｌｌと呼ばれる１つのサービングセルは、ＵＬとＤＬの両方を含有している。ＭｅＮＢによって動作するサービングセルはマスタセルグループ（ＭＣＧ）に属し、ＳｅＮＢによって動作するサービングセルは２次セルグループ（ＳＣＧ）に属する。ＭｅＮＢおよび／またはＳｅＮＢのどちらかに取り付けられた１つまたは複数の２次セル（Ｓセル）が存在し得る。
【００６０】
説明された実施形態が実施され得る任意の適切なタイプの通信システムは、任意の適切な通信規格をサポートし、任意の適切なコンポーネントを使用するものである。一例として、特定の実施形態は、図１に図解されたものなどのＬＴＥネットワークにおいて実施され得る。特定の実施形態は、ＬＴＥシステムおよび関係のある専門用語を参照しながら説明されているが、開示された概念はＬＴＥまたは３ＧＰＰシステムに限定されない。加えて、「セル」という用語が参照されることがあるが、説明された概念は、たとえば第５世代（５Ｇ）システムで使用されるビームなど他の状況にも適用され得る。
【００６１】
本明細書で言及されたように、ＣＡ能力は、無線通信ネットワークにおいてマルチキャスト（たとえばｅＭＢＭＳ）データを受信するためのＣＡ設定を決定して実施するための方法を実施し得るものである。いくつかの実施形態では、無線デバイスにおいて実施される方法が含み得る第１の動作において、無線デバイスは、別のノード（たとえばネットワークノード）に、１つまたは複数のＣＡ設定のサポートに関係のある無線デバイスの能力を指示する。いくつかの実施形態では、そのようなＣＡ設定は、専用（ｅ）ＭＢＭＳ動作モード中の、ならびに／あるいはユニキャストサブフレームおよびＦｅＭＢＳＦＮサブフレームを含む混合セルを伴う、所与の量のキャリア含み得る。
【００６２】
第１の動作において、無線デバイスは、別のノード（たとえばネットワークノード）に、専用ＭＢＭＳ動作モード中の、および／または混合ＭＢＭＳ動作モード（たとえばユニキャストサブフレームおよびＦｅＭＢＳＦＮを含む混合セル）を伴う、一定数のキャリアを含む１つまたは複数のＣＡ設定のサポートに関係のある無線デバイスの能力を指示し得る。
【００６３】
この能力は、たとえば、混合セルを伴う少なくともＫのキャリアおよび／または帯域（たとえば、Ｎは、ＵＥがＣＡ用にアグリゲートすることができる、異なる動作タイプ用のキャリアの総数以下でよい）をサポートする能力と、ＣＡにおいて、拡張ＭＢＭＳ動作用または一般のＭＢＭＳ動作用のキャリアを含めて、合計で少なくともＲのキャリアおよび／または帯域をサポートする能力と、ＣＡにおいて、拡張ＭＢＭＳ動作用または一般のＭＢＭＳ動作用のキャリアを除外して、少なくともＬのキャリアおよび／または帯域をサポートする能力と、並行する専用ＭＢＭＳ動作用に少なくともＭのキャリアおよび／または帯域（たとえば、専用ＭＢＭＳ動作用のキャリアがユニキャストトラフィック用のＣＡを示唆する従来のＣＡの意味ではアグリゲートするのが不可能であるため、Ｋに含まれない可能性がある）をサポートする能力と、ＭＢＳＦＮサブフレームにおいてユニキャストサブフレームとは異なるヌメロロジーを使用する混合セルを伴う少なくともＰのキャリアおよび／または帯域をサポートする能力と、たとえば（ｅ）ＭＢＭＳといったマルチキャストデータがアグリゲートされ得る少なくともＳのキャリアおよび／または帯域をサポートする能力と、１つまたは複数の専用キャリアならびに／あるいは１つまたは複数の混合セルによってブロードキャストされる、合計で少なくともＱのＭＢＳＦＮ領域、または固有の特性もしくは固有のＭＢＳＦＮ設定を伴うＭＢＳＦＮ領域をサポートする能力とのうち任意の１つまたは複数をさらに含み得る。
【００６４】
この能力は、たとえば、別のノードから要求があったときもしくは非請求のやり方で、起動条件または起動イベントに際して、または（ｅ）ＭＢＭＳサービスを受信する必要があると決定したとき、与えられてよい。いくつかの実施形態では、この能力には、混合セル動作および／または専用（ｅ）ＭＢＭＳ動作での、たとえば、そのような混合Ｓセルまたはキャリアの数量またはリストを導出するための、サポートされた設定もしくはルールまたは受理できる設定もしくはルールの明示的リストなどが含まれ得る
【００６５】
第２の動作は、少なくともＮ（たとえばＮ＝１、２、．．．）のキャリア上でｅＭＢＭＳを受信することの必要性または関心を決定することを含み得る。キャリアは専用モードおよび／または混合モード（すなわちユニキャストサブフレームおよびＦｅＭＢＳＦＮサブフレームを伴う混合セル）を含み得る。いくつかの実施形態では、無線デバイスは、別のノード（たとえばネットワークノード）に、決定された必要性または関心をさらに指示してよい。
【００６６】
無線デバイスは、第２の動作において、少なくともＮ（たとえばＮ＝１、２、．．．）のキャリア上でｅＭＢＭＳを受信することの必要性または関心を決定し得る。いくつかの実施形態では、キャリアは専用モードで動作してよく、すなわちＣＡＳ信号およびＦｅＭＢＭＳ信号を伴うサブフレームなどのＭＢＭＳ信号のみ含有する。いくつかの実施形態では、キャリアは混合モードで動作してよく、その場合、混合セルからのユニキャストサブフレームおよびＦｅＭＢＳＦＮサブフレームを伴うキャリアを含み得る。いくつかの実施形態では、専用モードでは一定数（Ｎ１）のキャリアが動作し得、混合モードでは別の一定数（Ｎ２）のキャリアが動作し得、ここでＮ１＋Ｎ２＝ＮまたはＮ１＋Ｎ２≧Ｎである。
【００６７】
ｅＭＢＭＳを受信することの必要性または関心の決定は、たとえば別のノード、より上位の層および／またはアプリケーションならびに／あるいは異なる層および／またはアプリケーションによって指示されてよい。無線デバイスにおいてｅＭＢＭＳを使用するためのアプリケーションは上位層によってさらに設定され、かつ／または起動されてよく、上位層は内部モジュールおよび／または別のノードから要求を受信してよい。内部モジュールの例にはＳＩＭカード（ＵＳＩＭカードなど）がある。別のノードの例には、無線ネットワークノード、コアネットワークノード、別のＵＥなどがある。無線デバイスは、たとえば無線デバイスに記憶された履歴、ネットワークからのメッセージまたはブロードキャスト情報、無線デバイスの測定値、あらかじめ規定されたルールまたは表などのうち１つまたは複数に基づいて、専用モードならびに／あるいはユニキャストサブフレームおよびＦｅＭＢＳＦＮサブフレームを伴う混合セルから成る混合モードで動作し得るＮのキャリアのうち少なくともいくつかをさらに決定してよい。
【００６８】
いくつかの実施形態では、無線デバイスは、別のノード（たとえば無線ネットワークノードまたは別のネットワークノード）に、決定された必要性または関心をさらに指示してよい。
【００６９】
いくつかの実施形態では、第３の動作は、専用モードおよび／または混合モードタイプの少なくともＫ（０＜Ｋ≦Ｎ）のキャリアを含む受理できるＣＡ設定を決定することを含む。第３の動作において、無線デバイスは、第１の動作において少なくともＮのキャリア上でｅＭＢＭＳを受信することの必要性または関心が決定された場合には、少なくともＫ（Ｋ≦Ｎ）のキャリアを含む受理できるＣＡ設定を決定してよい。Ｎのキャリアは、Ｎ１の専用モード（たとえばＦｅＭＢＭＳサブフレームおよびＣＡＳサブフレームのみを含む）キャリアおよび／または混合セルキャリアを含むＮ２の混合モードを含み得る。キャリアが、専用（ｅ）ＭＢＭＳモードの場合と同様に、ユニキャストデータ用の従来のＣＡの面ではアグリゲートされ得ないとき、「専用キャリアをさらに含み得るＫのキャリアを含むＣＡ設定」という言回しなどは、たとえば、（ユニキャストセルおよび／または混合セルを伴う）アグリゲートされたキャリアと専用キャリアの並行動作用のＵＥ設定、またはマルチキャストデータのＣＡ用のＵＥ設定を表すために使用され得る。
【００７０】
いくつかの実施形態では、ｅＭＢＭＳを受信するためのすべてのキャリア（Ｎ１）が専用モードで動作する場合にはＫ＝Ｋ１である。いくつかの実施形態では、ｅＭＢＭＳを受信するためのすべてのキャリア（Ｎ２）が混合モードで動作する場合にはＫ＝Ｋ２である。いくつかの実施形態では、ｅＭＢＭＳを受信するための一定数（Ｎ１）のキャリアが専用モードで動作し、ｅＭＢＭＳを受信するための一定数（Ｎ２）のキャリアが混合モードで動作する場合にはＫ＝Ｋ３である。
【００７１】
いくつかの実施形態では、受理できるＣＡ設定は、無線デバイスリソースの観点および／または無線デバイスの能力から、無線デバイスが少なくとも１つのキャリア周波数上で（ｅ）ＭＢＭＳを使用するように設定されるような、受理できる無線デバイス設定をさらに含み得る。
【００７２】
いくつかの実施形態では、無線デバイスによって決定された受理できるＣＡ設定が含むキャリアの数量が、ＣＡ動作のためのキャリアの設定された数よりも少なければ、ＵＥは、少なくともＣＡ用の一定数のＣＣおよび／またはｅＭＢＭＳ用の一定数のキャリアを受信することができるように、１つまたは複数のキャリアを設定解除し、かつ／または非活性化してよい。無線デバイスは、ネットワークノードによって、ＣＡ設定のために一定数のキャリア（たとえばＰＣＣおよび１つまたは複数のＳＣＣ）用に設定される。本明細書における設定解除／非活性化は、設定解除／非活性化されたキャリア上では、無線デバイスは、（任意のタイプまたは制御チャネルなどの特殊なタイプの）チャネル／信号を送信および／または受信しないことを意味する。いくつかの例では、設定解除／非活性化した後に、混合セルを伴う（ｅ）ＭＢＭＳも含み得る無線デバイスリソース（無線、ハードウェア、ソフトウェア）がもはや（ｅ）ＭＢＭＳ用に必要とされなくなるのに応答して、設定解除された／非活性化されたキャリアを再び設定／活性化してもよい。
【００７３】
いくつかの実施形態では、受理できるＣＡ設定は、あらかじめ規定されたルール、要件、および／または無線デバイスの能力のうち１つまたは複数に基づいて決定され得る。無線デバイスの能力は、無線デバイスがサポートする最大のＣＡ設定に関して表現され得る。ＣＡは、ユニキャストデータおよび／またはマルチキャストデータのアグリゲーションを表し得る。たとえば、無線デバイスは、ＣＡ設定されたＨ１のＤＬサービングセルおよびＨ２のＵＬサービングセルが可能であると指示してよい。この指示は、あらかじめ規定されていてよく、または無線デバイスによってネットワークノードにシグナリングされてもよい。無線デバイスによってサポートされたＣＡ設定は、区別なく、帯域の組合せ、マルチキャリアの設定または組合せなどと称され得る。
【００７４】
いくつかの実施形態では、受理できるＣＡ設定を決定することは、受理できるＣＡ設定のあらかじめ規定されたセットおよび／または設定されたセットから選択することを含み得る。いくつかの実施形態では、受理できるＣＡ設定を決定することは、ネットワークノードから受信された受理できる設定または受理できる設定の特性に基づき得る。
【００７５】
いくつかの実施形態では、無線デバイスは、別のノード（たとえばネットワークノード）に、決定された受理できるＣＡ設定をさらに指示してよい。
【００７６】
受理できるＣＡ設定を決定するための、受理できるＣＡ設定およびルールのいくつかの非限定的な例示の特性は、混合セルを伴うＭ（たとえばＭ＝１または２）のＣＣの最大数、キャリア当たりＸ％のＦｅＭＢＳＦＮサブフレームまたは混合セルを伴うＭ１のＣＣの最大数、またはＹ％のＦｅＭＢＳＦＮサブフレーム（たとえばＭ１＞Ｍ２、Ｘ％＜Ｙ％）を伴うＭ２のキャリアの最大数、キャリア当たりＰＤＣＣＨまたは混合セルなしのＸ％のＦｅＭＢＳＦＮサブフレームを伴うＭ１のＣＣの最大数、またはＰＤＣＣＨなしのＹ％のＦｅＭＢＳＦＮサブフレームを伴う最大限でもＭ２のキャリア（たとえばＭ１＞Ｍ２、Ｘ％＜Ｙ％）、混合セルなしの最大限でもＲ−ＭのＣＣ（たとえばＲ＝５は無線デバイスの最大の一般的なＣＡ能力である）、最大限でもＭ１の活性化された混合Ｓセル、最大限でもＭ２の非活性化された混合Ｓセル、最大限でもＭ３の混合Ｓセルのうち１つ、またはこれらの任意の適切な組合せを含み得、ここで、ＦｅＭＢＳＦＮサブフレームは、固有のヌメロロジーに基づくものであり（たとえばサブキャリア間隔は１．２５ｋＨｚなどの閾値よりも小さい）、１つまたは複数の混合セルを含むＣＡ設定は１つまたは複数の性能要件を満たし、たとえば混合セルによるサービングキャリアへの割込みの合計の影響（たとえば失われたメッセージの時間または％）は特定の閾値未満であり、ＣＡ設定において、１．２５ｋＨｚのサブキャリア間隔に基づくＦｅＭＢＳＦＮを伴う混合サービングセル（たとえばＳセル）はｆ２上にあり、別のサービングセル（たとえばＰＣｅｌｌ）はｆ１上にあり、また、ｆ２とｆ１の間の差は閾値未満であり、時間においてＦｅＭＢＳＦＮサブフレームと少なくとも部分的にオーバラップするＣＣの数は閾値未満であり、ＰＤＣＣＨのないＦｅＭＢＳＦＮサブフレームを伴う混合サービングセルを伴うＣＣの数は閾値未満であり、（ｅ）ＭＢＭＳ用に動作する専用キャリアの数は閾値未満であり、ＵＥが受信する、（ｅ）ＭＢＭＳデータを伴うセルおよび／またはキャリアおよび／または帯域の数は閾値未満であり、設定されたＭＢＳＦＮサブフレームを伴うセルおよび／またはキャリアおよび／または帯域の数は閾値未満であり、ＵＥによって並行して受信されるＭＢＳＦＮ領域の数は閾値未満である。
【００７７】
ＵＥは、ＣＡを用いて設定されて、少なくともＱ１のキャリアから成るＣＡ設定が可能であれば、（ＣＡ設定におけるものを除いて）少なくともＰ１のキャリア上で（たとえば専用モードおよび／または混合モードの）ｅＭＢＭＳを受信することを許可され得る。一例ではＰ１＝１、Ｑ１＝３  ＤＬ  ＣＣである。別の例ではＰ１＝２、Ｑ１＝４  ＤＬ  ＣＣである。別の例ではＰ１＝１、Ｑ１＝２  ＤＬ  ＣＣである。ＵＥがＱ３のキャリアから成るＣＡを用いて設定され、ＣＡに関するＵＥの最大能力がＱ４のキャリア（Ｑ４≧Ｑ３）である場合には、ＵＥは、Ｐ２＝（Ｑ４−Ｑ３）以下のキャリア上でｅＭＢＭＳを（たとえば専用モードおよび／または混合モードで）受信することを許可される。パラメータＰ２は、ｅＭＢＭＳモードのタイプにさらに依拠してよく、たとえば、Ｐ２１およびＰ２２は、それぞれＰ２１のキャリアおよびＰ２２のキャリア上でｅＭＢＭＳを受信するように適用可能である。一例として、ＵＥが専用キャリア上でｅＭＢＭＳを受信するためにより多くのリソースを必要とするので、Ｐ２１＜Ｐ２２である。Ｐ２１≦Ｐ２、Ｐ２２≦Ｐ２である。さらに別の例では、パラメータＰ２は、ｅＭＢＭＳの受信用に使用されるキャリアに対して使用されるヌメロロジーにさらに依拠し得る。たとえば第１のキャリア（Ｆ１）および第２のキャリア（Ｆ２）上で受信するために使用されるサブキャリア間隔がそれぞれ１５ｋＨｚおよび１．２５ｋＨｚであり、たとえばＰ２３＜Ｐ２４である場合には、Ｐ２＝Ｐ２３およびＰ２＝Ｐ２４である。
【００７８】
いくつかの実施形態によれば、ＵＥは、たとえばＱ２＝１のユニキャスト動作でＱ２のキャリア上で少なくとも動作することができるのであれば、少なくとも１つのキャリア（Ｆ１）上でｅＭＢＭＳを受信することを許可される。
【００７９】
ＵＥが、（ユニキャストＣＡ設定以外の）少なくとも１つのキャリア上でｅＭＢＭＳを動作させるか、または動作させることを期待され、Ｑ３のキャリアを伴うＣＡ設定を用いて設定されている場合には、ＵＥは、以下のルール（（１）、（２））のうち１つまたは複数に基づいて、ｅＭＢＭＳを受信するためのＣＡ設定および／またはキャリアを適合させるかまたは決定してよい。（１）ＵＥがｅＭＢＭＳを受信することができる任意の１つまたは複数のキャリアを設定解除する。（２）以下のルール（（ｉ）、（ｉｉ）、（ｉｉｉ）、（ｉｖ）、（ｖ））のうち１つまたは複数に基づいて、ＵＥがｅＭＢＭＳを受信することができる特定のタイプの１つまたは複数のキャリアを設定解除する。（ｉ）たとえば１５ｋＨｚのサブキャリア間隔といった、できるだけ大きなサブキャリア間隔のキャリアなど、特定のヌメロロジーのキャリアを設定解除する。（ｉｉ）たとえば最高周波数の帯域幅のキャリアといった特定の周波数のキャリアを設定解除する。（ｉｉｉ）たとえば最も小さいチャネル帯域幅を伴う帯域のキャリアといった、特定のチャンネル帯域幅のキャリアを設定解除する。（ｉｖ）ビットレート、スループットなどを例に含むトラフィックアクティビティに基づいて、たとえばアクティビティが最低のキャリアを設定解除する。（ｖ）設定されたＣＡに属する任意の１つまたは複数のＣＣを設定解除するかまたは非活性化する。
【００８０】
ＣＡ設定に属する１つまたは複数のＣＣの特定のタイプは、たった１つの、または複数のＳＣＣ、ＰＣＣとは別の任意のＣＣ、ＰＣＣおよびＰＳＣＣとは別の任意のＣＣ、たとえばｓＴＡＧといった特定のタイミングアドバンスグループ（ＴＡＧ）に設定されたＣＣ、最大数のＣＣを含有しているＴＡＧに属するＣＣ、たとえばｅＭＢＭＳの受信用に設定されたキャリアと無線チェーンを共有するＣＣ（たとえばｅＭＢＭＳキャリアに隣接しているＣＣ）といった、ＵＥの無線アーキテクチャに基づくＣＣ、たとえばＣＡ設定におけるすべてのＣＣのすべての帯域のうち最高のキャリア周波数を伴う帯域に属するＣＣ（たとえばＣＡ設定が９００ＭＨｚにおけるＸ１のＣＣ、および１８００ＭＨｚにおけるＸ２のＣＣを含む場合には、１８００ＭＨｚにおけるＣＣのうち１つを設定解除する）といった、特定の帯域に属するＣＣ、たとえばそれ自体のＳセルの、無線デバイスにおける受信信号品質が−３ｄＢ未満であるＳＣＣといった、無線デバイスにおけるＳＮＲおよびＳＩＮＲ、ＲＳＲＱなどを例に含む信号品質が特定の閾値未満であるかまたは最低／最悪であるＣＣ、ならびに／あるいは、バッファサイズ、ユーザビットレート、スループットなどを例に含むトラフィックアクティビティが最低であるかまたは特定の閾値未満であるＣＣに基づいて、設定解除または非活性化されてよい。
【００８１】
ＣＡ設定に属する特定のタイプのＣＣの設定解除または非活性化は、チャネル帯域幅（たとえば、無線デバイスは、チャネルＢＷが最も小さいＣＣまたはチャネルＢＷが閾値未満のＣＣを設定解除または非活性化する）および／またはあらかじめ規定されたルールに基づいて行われてよい。ルールは、無線デバイスによるＣＣの設定解除または非活性化がネットワークノードから受信された指示に基づいて許可される、上記で説明された任意のルールであり得る。たとえば、ネットワークノードは、無線デバイスが別のキャリア上でｅＭＢＭＳデータを受信したとき、どのキャリアの設定解除または非活性化を許可するべきかということに関して、無線デバイスを設定する。
【００８２】
いくつかの実施形態では、無線デバイスは、ネットワークノードによって、ＣＡ設定を有するＣＣのうち１つまたは複数の設定解除または非活性化を許可されている場合には、これを行ってよい。たとえば、そのようなケースは、無線デバイスに対してＣＣの設定解除または非活性化の不許可を意味する０と許可を意味する１との設定値を含み得る。
【００８３】
無線デバイスは、受理できるＣＡ設定を決定したら次の動作を始めてよい。無線デバイスは、いかなる可能な方法においても、受理できるＣＡ設定を取得していなければ、別のノード（たとえば無線ネットワークノード）にこの結果を指示してよい。別の例では、無線デバイスは、たとえば一定の時間の後に、受理できるＣＡ設定の取得を再試行してよい。
【００８４】
第４の動作は、受理できるＣＡ設定を設定することを含み得、第５の動作は、設定された受理できるＣＡ設定の下で１つまたは複数の動作タスクを遂行することを含み得る。例には、無線デバイスによって決定された受理できるＣＡ設定の結果を別のノードに指示することが含まれ得る。
【００８５】
第４の動作において、無線デバイスは、決定された適用可能なＣＡ設定に基づいて、受理できるＣＡ設定を設定し得る。ＣＡという用語は、ユニキャストサブフレームを伴うキャリアのアグリゲーションを含み得る。いくつかの実施形態では、適用可能なＣＡ設定は、１つまたは複数の専用キャリアおよびユニキャストデータ用の少なくとも１つのサービングセルを伴う無線デバイス設定をさらに含み得る。いくつかの例では、無線デバイスによって、マルチキャストデータを受信するために、（ｅ）ＭＢＭＳを伴うキャリアもアグリゲートされてよい。
【００８６】
設定することは、ＣＣのセットを設定すること／ＣＣのセットを更新すること／ＣＣのセットに対する追加や除去を行うこと、１つまたは複数のＳセルを（非）活性化すること、１つまたは複数のサービングセルをセットアップすること、サービングセルのセットにおいて非混合セルを混合セルで置換するかまたはその逆の置換を行うこと、ＰＣｅｌｌを変更すること、マルチキャストデータを伴う１つまたは複数のＵＥ作動のキャリアのセットまたはリストを生成し、かつ／または拡張することなどをさらに含み得る。
【００８７】
第５の動作において、無線デバイスは、設定された受理できるＣＡ設定の下で１つまたは複数の動作タスクを遂行し得る。例示の動作タスクは、ＦｅＭＢＳＦＮサブフレームにおいてｅＭＢＭＳを受信することと、１つまたは複数のサービングセルにおいてユニキャストデータを受信することと、あらかじめ規定された性能要件を満たすユニキャストサブフレームにおいて測定を遂行することと、あらかじめ規定された性能要件を満たすＦｅＭＢＳＦＮサブフレームにおいて測定を遂行することおよび／または記録することと、ＭＤＴのための測定を遂行することと、受理できる設定の適合／決定の結果、ならびに／あるいは無線デバイスによって遂行されるｅＭＢＭＳを受信するためのキャリアおよび／または帯域のセットの適合の結果を、（たとえば送信すること、シグナリング、または送ることによって）別のノードに指示することとのうち１つまたは組合せを含む。適合は、上記で動作を参照しながら説明されており、他のノードの例には別の無線デバイスまたはネットワークノードが含まれる。結果を指示することの例は、ＣＡ設定および／またはｅＭＢＭＳキャリアに対する適合が行われたかどうかのインジケータを供給すること、ならびに／あるいはＵＥによって設定解除され、かつ／または非活性化されたキャリアに関する情報を供給することを含む。
【００８８】
いくつかの実施形態によれば、無線デバイスにおけるＣＡ能力をサポートするネットワークノードは、無線通信ネットワークにおいてｅＭＢＭＳデータを受信するためのＣＡ設定を決定して実施するための方法を実施してよい。ネットワークノードにおいて実施される例示の方法は、専用動作モードおよび／または混合動作モードを伴う特定の最小数のキャリア（たとえばユニキャストサブフレームおよびＦｅＭＢＳＦＮサブフレームを含んでいるセルを含む）を伴う１つまたは複数のＣＡ設定のサポートに関係のある無線デバイスの能力を取得する第１の動作を含み得る。第２の動作は、少なくともＮ（たとえばＮ＝１、２、．．．）のキャリア上で、無線デバイスの、ｅＭＢＭＳを受信することの必要性または関心の指示を取得することを含む。キャリアは、ユニキャストサブフレームおよびＦｅＭＢＳＦＮサブフレームを伴う混合セルを含み得る。第３の動作において、受理できるＣＡ設定が決定され、設定は少なくともＫ（Ｋ≦Ｎ）の専用モードタイプおよび／または混合モードタイプのキャリアを含む。第４の動作において、受理できるＣＡ設定が設定される。第５のステップにおいて、設定された受理できるＣＡ設定の下で無線デバイスによって遂行された１つまたは複数の動作タスクの結果が取得される。
【００８９】
ネットワークノードは、第１の動作において、専用動作モードおよび／または混合動作モードを伴う特定の最小数のキャリア（たとえばユニキャストサブフレームおよびＦｅＭＢＳＦＮサブフレームを含んでいるセルを含む）を伴う１つまたは複数のＣＡ設定のサポートに関係のある無線デバイスの能力を取得し得る。一実施形態では、取得することは、無線デバイスまたは別のネットワークノードからの指示に基づき得る。別の実施形態では、取得することは、無線デバイスの挙動または無線デバイスの測定を観測することに基づき得る。
【００９０】
ネットワークノードは、第２の動作において、無線デバイスの、少なくともＮ（たとえばＮ＝１、２、．．．）のキャリア上でｅＭＢＭＳを受信することの必要性または関心の指示を取得し得る。キャリアは、ユニキャストサブフレームおよびＦｅＭＢＳＦＮサブフレームを伴う混合セルならびに／あるいは専用モードを伴うキャリアを含み得る。上記の指示は、無線デバイスから受信されてよく、または別のノード（たとえばＯ＆Ｍ、ＭＢＭＳ制御ノード、ネットワークコントローラ）からのメッセージでもよい。
【００９１】
ネットワークノードは、第３の動作において、専用動作モードおよび／または混合動作モードを伴う少なくともＫ（Ｋ≦Ｎ）のキャリアを含んでいる受理できるＣＡ設定を決定し得る。一実施形態では、決定することは、あらかじめ規定されたルール、要件、無線デバイスの指示またはメッセージ、および／または無線デバイスの能力のうち１つまたは複数に基づき得る。別の実施形態では、決定することは、あらかじめ規定された、または設定された、受理できるＣＡ設定のセットから選択することを含み得る。さらに別の実施形態では、決定することは、ネットワークから受信された設定、または無線デバイスからの望ましい設定もしくは決定された設定に基づき得る。受理できる設定のルールおよび特性は、無線デバイスにおいて実施される第３の動作を参照しながら上記で説明されたルールおよび特性に類似のものでよい。
【００９２】
ネットワークノードは、第４の動作において、無線デバイスにおいて受理できるＣＡ設定を設定し得る。設定することは、たとえば、無線デバイスに、設定メッセージおよび／または設定すること関連したアクションを伴うメッセージ（たとえば（非）活性化要求）を送ることにより、遂行され得る。
【００９３】
受理できるＣＡ設定が決定されていなければ、ネットワークノードは、たとえば一定の時間の後に、受理できるＣＡ設定の取得を再試行してよい。別の例では、ネットワークノードは、無線デバイスに、無線デバイス向けの受理できるＣＡ設定が取得されなかったことを暗示的または明示的に指示してもよい。
【００９４】
ネットワークノードは、第５の動作において、設定された受理できるＣＡ設定の下で無線デバイスによって遂行された１つまたは複数の動作タスクの結果を取得し得る。例示のタスクは、無線デバイスにおいて実施される第５の動作を参照しながら上記で説明されたタスクを含む。結果を取得することは、たとえば、メッセージ、動作レポート（たとえば測定レポート）、無線の信号／チャネルの送信、適用される受理できる設定の確認または承認、無線デバイスからの、受理できる設定を設定することに成功したとの、あらかじめ規定されたメッセージ、のうち１つまたは複数を受信すること、無線デバイス挙動を観察することなどによって遂行され得る。
【００９５】
次に図１を参照すると、これはいくつかの実施形態によるＬＴＥネットワークの図解である。通信ネットワーク１００は複数の無線デバイス１０５および複数の無線アクセスノード１１０を備える。通信ネットワーク１００はセル１１５へと組織化され、セル１１５は、対応する無線アクセスノード１１０を介してコアネットワーク１２０に接続される。無線アクセスノード１１０は、無線通信デバイス同士の間、または無線通信デバイスと別の通信デバイス（地上通信線電話など）の間の通信をサポートする何らかの適切な追加要素と併せて無線通信デバイス１０５と通信することができる。
【００９６】
無線デバイス１０５はハードウェアおよび／またはソフトウェアの任意の適切な組合せを含む通信デバイスを表し得るが、特定の実施形態では、これらの無線デバイスは、図２Ａおよび図２Ｂによってより詳細に説明された例示の無線デバイスなどのデバイスを表し得る。同様に、図解された無線アクセスノードはハードウェアおよび／またはソフトウェアの任意の適切な組合せを含むネットワークノードを表し得るが、特定の実施形態では、これらのノードは、図３Ａ、図３Ｂおよび図４によってより詳細に図解されたデバイスを表し得る。
【００９７】
無線通信デバイス２００Ａは、本明細書ではＵＥ  ２００（無線端末、無線通信デバイス、無線通信端末、ユーザ機器、ユーザ機器ノード／端末／デバイスなどとも称される）と称され得、発明概念の実施形態による動作をもたらすように設定され得る。図２Ａを参照して、無線通信デバイス２００Ａは、プロセッサとも称されるプロセッサ回路２０５（たとえば中央処理装置［ＣＰＵ］、特定用途向け集積回路［ＡＳＩＣ］、フィールドプログラマブルゲートアレイ［ＦＰＧＡ］、および／または類似のもの）と、記憶装置２１０と、トランシーバとも称されるトランシーバ回路２１５と、アンテナ２２０とを含む。
【００９８】
プロセッサ２０５は、トランシーバ２１５およびメモリ２１０に結合され得る。プロセッサ２０５は、記憶装置２１０に含まれ得るコンピュータ可読プログラムコードを実行することにより、無線通信デバイス２００Ａに関して本明細書で開示された実施形態による動作を遂行する。他の実施形態によれば、プロセッサ２０５はメモリを含むように規定されてよく、その結果、個別のメモリ回路が不要になる。無線通信デバイス２００Ａは、プロセッサ２０５に結合されたインターフェース（ユーザインターフェースなど）も含み得る。
【００９９】
本明細書で論じられたように、無線通信デバイス２００Ａの動作は、プロセッサ２０５および／またはトランシーバ２１５によって遂行され得る。たとえば、トランシーバ２１５は、プロセッサ２０５によって制御されて、無線インターフェースを通じて別のノードとの間で通信を送信および／または受信してよい。その上、記憶装置２１０にはモジュールが記憶されてよく、プロセッサ２０５は、これらのモジュールによって供給され得る命令を実行することによってそれぞれの動作（たとえば例示の実施形態を参照しながら以下で論じられる動作）を遂行する。
【０１００】
特定の実施形態では、ＵＥ、ＭＴＣデバイスまたはＭ２Ｍデバイス、および／または任意の他のタイプの無線通信デバイスによってもたらされるものと説明された機能性のいくつかまたはすべては、図２Ａに示された記憶装置などのコンピュータ可読媒体に記憶された命令を実行するデバイスのプロセッサによってもたらされる。いくつかの実施形態には図２Ａに示されたもの以上の追加部品が含まれ、本明細書で説明された機能性のうち任意のものを含むデバイスの機能性の特定の態様をもたらすことを担う。
【０１０１】
図２Ｂを参照して、無線通信デバイス２００Ｂは、１つまたは複数の対応する機能を遂行するように設定された少なくとも１つのモジュール２２５を備える。そのような機能の例は、無線通信デバイスを参照しながら本明細書で説明されたような様々な方法のステップまたは方法のステップの組合せを含む。一般に、モジュール２２５は、対応する機能を遂行するように設定されたソフトウェアおよび／またはハードウェアの任意の適切な組合せも含み得る。たとえば、いくつかの実施形態では、モジュール２２５は、図２Ａで図解されたものなどの関連するプラットホーム上で実行されたとき、対応する機能を遂行するように設定されたソフトウェアを含む。
【０１０２】
次に図３Ａおよび図３Ｂを参照すると、これらは本明細書におけるいくつかの実施形態に対応する無線アクセスノードを図解する概略ブロック図である。図３Ａを参照すると、無線アクセスノード３００Ａに含まれる制御システム３２０は、ノードプロセッサ３０５（たとえば中央処理装置（ＣＰＵ）、特定用途向け集積回路（ＡＳＩＣ）、フィールドプログラマブルゲートアレイ（ＦＰＧＡ）、および／または類似のもの）、記憶装置３１０、およびネットワークインターフェース３１５を含む。加えて、無線アクセスノード３００Ａに含まれる少なくとも１つの無線ユニット３２５は、少なくとも１つの送信器３３５と、少なくとも１つのアンテナ３３０に結合された少なくとも１つの受信器とを含む。いくつかの実施形態では、無線ユニット３２５は制御システム３２０の外部にあり、たとえば有線接続（たとえば光ケーブル）によって制御システム３２０に接続されている。しかしながら、いくつかの他の実施形態では、無線ユニット３２５および（可能性として）アンテナ３３０は、制御システム３２０と一緒に組み込まれる。ノードプロセッサ３０５は、本明細書で説明されたような無線アクセスノード３００Ａの少なくとも１つの機能３４５をもたらすように動作する。いくつかの実施形態では、機能は、たとえば記憶装置３１０に記憶されたソフトウェアで実施され、ノードプロセッサ３０５によって実行される。
【０１０３】
特定の実施形態では、基地局、ノードＢ、ｅノードＢ、および／または任意の他のタイプのネットワークノードによってもたらされるものと説明された機能性のいくつかまたはすべてが、図３Ａに示された記憶装置３１０などのコンピュータ可読媒体に記憶された命令を実行するノードプロセッサ３０５によってもたらされ得る。いくつかの実施形態では、無線アクセスノード３００は、本明細書で説明された機能性および／または関係のあるサポートする機能性などの追加の機能性をもたらすための追加部品を含み得る。
【０１０４】
図３Ｂを参照して、無線アクセスノード３００Ｂは、１つまたは複数の対応する機能を遂行するように設定された少なくとも１つのモジュール３５０を含む。そのような機能の例は、本明細書で無線アクセスノードを参照しながら説明されたような様々な方法のステップおよび／または動作、あるいは方法のステップおよび／または動作の組合せを含む。一般に、モジュール３５０は、対応する機能を遂行するように設定されたソフトウェアおよび／またはハードウェアの任意の適切な組合せを含み得る。たとえば、いくつかの実施形態では、モジュールは、図３Ａで図解されたものなどの関連するプラットホーム上で実行されたとき対応する機能を遂行するように設定されたソフトウェアを含む。
【０１０５】
図４は、本明細書におけるいくつかの実施形態による仮想無線アクセスノード４００を図解するブロック図である。図４に関連して説明される概念は、他のタイプのネットワークノードにも同様に適用され得るものである。さらに、他のタイプのネットワークノードは、類似の仮想化されたアーキテクチャを有し得る。本明細書で使用される「仮想無線アクセスノード」という用語は、無線アクセスノードの機能性の少なくとも一部分が（たとえばネットワークにおける物理的処理ノード上で実行する仮想マシンによって）仮想コンポーネントとして実施される無線アクセスノードの実装形態を指すものである。
【０１０６】
図４を参照して、無線アクセスノード４００は、図３Ａに関して上記で説明されたような制御システム３２０を備える。
【０１０７】
制御システム３２０は、ネットワークインターフェース３１５を介して、ネットワーク４２５に結合されているかまたは一部分として含まれている１つまたは複数の処理ノード４２０に接続されている。それぞれの処理ノード４２０が、１つまたは複数のプロセッサ４０５（たとえばＣＰＵ、ＡＳＩＣ、ＦＰＧＡ、および／または類似のもの）、記憶装置４１０、およびネットワークインターフェース４１５を含み得る。
【０１０８】
いくつかの実施形態では、本明細書で説明された無線アクセスノード３００Ａの機能３４５は、１つまたは複数の処理ノード４２０において実施されてよく、かつ／または制御システム３２０および１つまたは複数の処理ノード４２０にわたって任意の望ましいやり方で分散されてよい。いくつかの実施形態では、本明細書で説明された無線アクセスノード３００Ａの機能３４５のうちいくつかまたはすべてが、処理ノード４２０によってホスティングされた仮想環境において実施される１つまたは複数の仮想マシンによって実行される仮想コンポーネントとして実施される。所望の機能３４５のうち少なくともいくつかを実行するために、処理ノード４２０と制御システム３２０の間の追加のシグナリングおよび／または通信が使用され得る。いくつかの実施形態では、点線によって指示されているように制御システム３２０が省略されてよく、その場合には、無線ユニット３２５は、適切なネットワークインターフェースを介して処理ノード４２０と直接通信する。
【０１０９】
図６〜図２１は、本明細書におけるいくつかの実施形態によって無線デバイスを動作させる方法の動作を図解する流れ図である。次に図６を参照すると、これは本明細書におけるいくつかの実施形態によって無線デバイスを動作させる方法の動作を図解する流れ図である。方法６００は、無線デバイスによって、無線デバイスが専用モードタイプおよび／または混合モードタイプの複数のキャリア上でマルチキャスト（たとえばｅＭＢＭＳ）データを受信するためのＣＡ設定を決定すること（ブロック６０５）を含む。いくつかの実施形態では、ＣＡ設定は、一般に、複数のキャリアの少なくとも一部分に関して１つまたは複数の受理できる特性の限界を定める、あらかじめ規定されたルールと、複数のキャリア上でのｅＭＢＭＳデータの受信および復号に関する無線デバイスの能力と、受理できるＣＡ設定のあらかじめ規定されたセットとのうち１つまたは組合せに少なくとも部分的に基づいて決定され得る。方法６００は、無線デバイスにおいて、決定されたＣＡ設定を設定すること（ブロック６１０）をさらに含む。いくつかの実施形態では、ＣＡという用語は、ユニキャストサブフレームを伴うキャリアのアグリゲーションを含み得る。いくつかの実施形態では、適用可能なＣＡ設定は、１つまたは複数の専用キャリアおよびユニキャストデータ用の少なくとも１つのサービングセルを伴う無線デバイス設定を含み得る。いくつかの例では、無線デバイスによって、マルチキャストデータを受信するために、（ｅ）ＭＢＭＳを伴うキャリアもアグリゲートされてよい。
【０１１０】
設定することは、ＣＣのセットを設定すること／ＣＣのセットを更新すること／ＣＣのセットに対する追加や除去を行うこと、１つまたは複数のＳセルを（非）活性化すること、１つまたは複数のサービングセルをセットアップすること、サービングセルのセットにおいて非混合セルを混合セルで置換するかまたはその逆の置換を行うこと、ＰＣｅｌｌを変更すること、マルチキャストデータを伴う１つまたは複数のＵＥ作動のキャリアのセットまたはリストを生成するかまたは拡張することなどをさらに含み得る。
【０１１１】
方法６００は、設定されたＣＡ設定の下で１つまたは複数の動作タスクを遂行すること（ブロック６１５）をさらに含む。動作タスクの例は、一般に、ＦｅＭＢＳＦＮサブフレームにおいてマルチキャストデータ（たとえばｅＭＢＭＳ）を受信することならびに／あるいは１つまたは複数のサービングセルにおいてユニキャストデータを受信すること、測定を遂行し、かつ／または記録すること、ならびに／あるいは結果を別のノードに指示することを含み得る。
【０１１２】
方法６００またはその一部分は、ネットワークノードにおける実装形態向けに適合されてもよい。動作の多くは、ネットワークノードにおいて実施される動作６１５を除けば類似のものでよく、設定されたＣＡ設定の下で１つまたは複数の動作タスクを遂行した結果を取得する動作で置換され得る。
【０１１３】
次に図７を簡単に参照すると、いくつかの実施形態による、ＣＡ設定を決定すること（ブロック６０５）に対応するさらなる動作が図解されている。動作は、１つまたは複数のＣＡ設定をサポートするための無線デバイスの能力に対応する無線デバイス能力を、無線通信ネットワークにおける別のノードに送信すること（ブロック７０５）を含む。いくつかの実施形態では、１つまたは複数のＣＡ設定をサポートするための無線デバイスの能力は、専用マルチキャスト動作モード中のキャリアの量と、ユニキャストサブフレームおよびＦｅＭＢＳＦＮサブフレームを含む混合セルの量とのうち少なくとも１つを含む。
【０１１４】
次に図８を簡単に参照すると、いくつかの実施形態による、ＣＡ設定を決定すること（ブロック６０５）に対応するさらなる動作が図解されている。動作は、無線デバイスにおいて、専用キャリアの数量および／または混合モードキャリアの量についてのマルチキャストデータを受信することへの関心を決定すること（ブロック８０５）を含む。動作は、決定された関心を、無線通信ネットワークにおける他のノードに送信すること（ブロック８１０）をさらに含み得る。
【０１１５】
次に図９を簡単に参照すると、いくつかの実施形態による、ＣＡ設定を決定すること（ブロック６０５）に対応するさらなる動作が図解されている。動作は、専用モードタイプまたは混合モードタイプの少なくとも１つのキャリアを含む受理できるＣＡ設定を決定すること（ブロック９０５）、および受理できるＣＡ設定を設定すること（ブロック９１０）を含み得る。
【０１１６】
次に図１０を簡単に参照すると、いくつかの実施形態による、受理できるＣＡ設定を決定すること（ブロック９０５）に対応するさらなる動作が図解されている。たとえば、動作は、受理できるＣＡ設定のあらかじめ規定されたセットから選択すること（ブロック１００５）を含み得る。いくつかの実施形態では、受理できるＣＡ設定を決定することは、他のネットワークノードから受信された受理できる設定または受理できる設定の特性に基づくものである。
【０１１７】
次に図１１を簡単に参照すると、いくつかの実施形態による、決定されたＣＡ設定を設定すること（ブロック６１０）に対応するさらなる動作が図解されている。動作は、無線デバイスによって、マルチキャストデータを受信するために、マルチキャストデータを伴うキャリアをアグリゲートすること（ブロック１１０５）を含み得る。
【０１１８】
次に図１２を簡単に参照すると、いくつかの実施形態による、決定されたＣＡ設定を設定すること（ブロック６１０）に対応するさらなる動作が図解されている。動作は、１つまたは複数のＳセルを非活性化することによってＣＣのセットを変更すること（ブロック１２０５）、およびサービングセルのセットにおいて第１のモードタイプのセルを第２のモードタイプのセルで置換すること（ブロック１２１０）を含み得る。いくつかの実施形態によれば、第１のモードタイプのセルは専用モードタイプおよび混合モードタイプのうちの一方である。いくつかの実施形態では、第２のモードタイプのセルは専用モードタイプおよび混合モードタイプのうちの他方である。いくつかの実施形態は、マルチキャストデータを伴う１つまたは複数のＵＥ作動のキャリアのセットを生成するかまたは拡張すること（ブロック１２１５）を含む。
【０１１９】
いくつかの実施形態では、他のノードに送ることは、ＣＡ設定および／またはマルチキャストキャリアのための適合が行われたかどうかのインジケータを供給すること、ならびに／あるいは設定解除されかつ／または非活性化されたキャリアに関する情報を供給することのうち一方または両方を含む。いくつかの実施形態によれば、受理できるＣＡ設定を決定することは、混合セルを伴うＣＣの数、１つのキャリア当たりのサブフレームのあらかじめ規定された割合の範囲を有するＣＣの数、混合セルのないＣＣの数、および活性化または非活性化された混合Ｓセルの数のうちの１つまたは複数に基づくものである。
【０１２０】
次に図１３を簡単に参照すると、いくつかの実施形態による、設定されたＣＡの下で動作タスクを遂行すること（ブロック６１５）に対応するさらなる動作が図解されている。動作は、ＦｅＭＢＳＦＮサブフレームにおいてマルチキャストデータを受信すること（ブロック１３０５）と、１つまたは複数のサービングセルにおいてユニキャストデータを受信すること（ブロック１３１０）と、あらかじめ規定された性能要件を満たすユニキャストサブフレームにおいて測定を遂行すること（ブロック１３１５）と、あらかじめ規定された性能要件を満たすＦｅＭＢＳＦＮサブフレームにおいて測定を遂行することおよび／または記録すること（ブロック１３２０）と、受理できる設定および／またはキャリアのセットの適合を決定した結果を別のノードに送信すること（ブロック１３２５）とを含み得る。
【０１２１】
いくつかの実施形態によれば、キャリア上でのマルチキャストデータの受信および復号に関する無線デバイスの能力は、専用マルチキャスト動作モード中の、および／または混合マルチキャスト動作モードを伴う、キャリアの規定された量を含む。いくつかの実施形態では、キャリア上でのマルチキャストデータの受信および復号に関する無線デバイスの能力は、サポートされる混合セルを伴うキャリアおよび／または帯域の数量、サポートされるＣＡにおけるキャリアおよび／または帯域の合計の数量、サポートされるマルチキャストデータではない、ＣＡにおけるキャリアおよび／または帯域の数量、サポートされるＣＡにおけるユニキャストサブフレームよりもＭＢＳＦＮサブフレームにおける異なるヌメロロジーを使用する混合セルを伴うキャリアおよび／または帯域の数量、マルチキャストデータがアグリゲートされ得るキャリアおよび／または帯域の数量、ならびに／あるいはサポートされるＣＡにおける合計のＭＢＳＦＮ領域、または固有の特性もしくは固有のＭＢＳＦＮ設定を伴うＭＢＳＦＮ領域の数量を含む。
【０１２２】
いくつかの実施形態によれば、ＦｅＭＢＭＳサブフレームは、１．２５ＫＨｚ間隔のサブキャリアを含む第１のヌメロロジーを使用してマルチキャストデータを送信するサブフレームを含む。いくつかの実施形態では、第１のヌメロロジーは、約８００マイクロ秒のシンボル期間および約２００マイクロ秒のＣＰ長さを含む。いくつかの実施形態によれば、マルチキャストの動作および／またはデータは、ＭＢＭＳの動作またはデータと、ｅＭＢＭＳの動作またはデータとのうち、いずれか１つである。
【０１２３】
次に参照される図１４は、本明細書におけるいくつかの実施形態によって無線通信ネットワークにおけるネットワークノードを動作させる方法１４００の動作を図解する流れ図である。方法１４００による動作は、専用モードタイプおよび／または混合モードタイプの複数のキャリア上でマルチキャストデータを受信する（ブロック１４０５）ために、無線デバイス用のキャリアアグリゲーション（ＣＡ）設定を決定することを含み得る。いくつかの実施形態では、ＣＡ設定は、複数のキャリアの少なくとも一部分に関して１つまたは複数の受理できる特性の限界を定めるあらかじめ規定されたルールと、複数のキャリア上でのマルチキャストデータの受信および復号に関する無線デバイスの能力と、受理できるＣＡ設定のあらかじめ規定されたセットとに少なくとも部分的に基づいて決定され得る。動作は、決定されたＣＡ設定を無線デバイス用に設定すること（ブロック１４１０）と、設定されたＣＡ設定の下で１つまたは複数の動作タスクを遂行した結果を取得すること（ブロック１４１５）とをさらに含み得る。
【０１２４】
次に図１５を簡単に参照すると、いくつかの実施形態による、ＣＡ設定を決定すること（ブロック１４０５）に対応するさらなる動作が図解されている。動作は、１つまたは複数のＣＡ設定をサポートするための無線デバイスの能力に対応する無線デバイス能力を、無線通信ネットワークにおける別のノードに送信すること（ブロック１５０５）を含む。いくつかの実施形態では、１つまたは複数のＣＡ設定をサポートするための無線デバイスの能力は、専用マルチキャスト動作モード中のキャリアの量と、ユニキャストサブフレームおよびＦｅＭＢＳＦＮサブフレームを含む混合セルの量とのうち少なくとも１つを含む。
【０１２５】
次に図１６を簡単に参照すると、いくつかの実施形態による、ＣＡ設定を決定すること（ブロック１４０５）に対応するさらなる動作が図解されている。動作は、無線通信ネットワークにおけるネットワークノードによって、無線デバイスが、専用キャリアの量および／または混合モードキャリアの量に関するマルチキャストデータを受信することに関心があるという指示を受信すること（ブロック１６０５）を含む。
【０１２６】
次に図１７を簡単に参照すると、いくつかの実施形態によってＣＡ設定を決定すること（ブロック１４０５）に対応するさらなる動作が図解されている。動作は、専用モードタイプまたは混合モードタイプの少なくとも１つのキャリアを含む受理できるＣＡ設定を決定すること（ブロック１７０５）を含む。動作は、受理できるＣＡ設定を設定すること（ブロック１７１０）をさらに含み得る。
【０１２７】
次に図１８を簡単に参照すると、いくつかの実施形態による、受理できるＣＡ設定を決定すること（ブロック１７０５）に対応するさらなる動作が図解されている。動作は、受理できるＣＡ設定のあらかじめ規定されたセットから選択すること（ブロック１８０５）を含み得る。
【０１２８】
次に図１９を簡単に参照すると、いくつかの実施形態による、決定されたＣＡ設定を設定すること（ブロック１４１０）に対応するさらなる動作が図解されている。たとえば、動作は、マルチキャストデータを受信するために、マルチキャストデータを伴うキャリアをアグリゲートすること（ブロック１９０５）を含み得る。
【０１２９】
次に図２０を簡単に参照すると、いくつかの実施形態による、決定されたＣＡ設定を設定すること（ブロック１４１０）に対応するさらなる動作が図解されている。動作は、１つまたは複数のＳセルを非活性化することによってＣＣのセットを変更すること（ブロック２００５）と、サービングセルのセットにおける第１のモードタイプのセルを第２のモードタイプのセルで置換すること（ブロック２０１０）と、マルチキャストデータを伴う１つまたは複数のＵＥ作動のキャリアのセットを生成するかまたは拡張すること（ブロック２０１５）とを含み得る。いくつかの実施形態では、第１のモードタイプのセルは専用モードタイプおよび混合モードタイプのうち一方である。いくつかの実施形態によれば、第２のモードタイプのセルは専用モードタイプおよび混合モードタイプのうち他方である。
【０１３０】
次に図２１を簡単に参照すると、いくつかの実施形態による、設定されたＣＡの下で動作タスクを遂行すること（ブロック１４１５）に対応するさらなる動作が図解されている。動作は、ＦｅＭＢＳＦＮサブフレームにおいてマルチキャストデータを受信すること（ブロック２１０５）と、１つまたは複数のサービングセルにおいてユニキャストデータを受信すること（ブロック２１１０）と、あらかじめ規定された性能要件を満たすユニキャストサブフレームにおいて測定を遂行すること（ブロック２１１５）と、あらかじめ規定された性能要件を満たすＦｅＭＢＳＦＮサブフレームにおいて測定を遂行することおよび／または記録すること（ブロック２１２０）と、受理できる設定および／またはキャリアのセットの適合を決定した結果を受信すること（ブロック２１２５）とを含む。
【０１３１】
図２２は、いくつかの実施形態による、本明細書で開示されたような動作を遂行するＵＥ  ２００向けのモジュールを図解するものである。いくつかの実施形態が含む、ＣＡ設定を決定するモジュールは、複数の専用モードタイプおよび／または混合モードタイプのキャリア上でマルチキャストデータを受信するために、無線デバイス用のキャリアアグリゲーション（ＣＡ）設定を決定するように設定されている。ＣＡ設定は、キャリアの少なくとも一部分に関して１つまたは複数の受理できる特性の限界を定めるあらかじめ規定されたルール、複数のキャリア上でのマルチキャストデータの受信および復号に関する無線デバイスの能力、ならびに／あるいは受理できるＣＡ設定のあらかじめ規定されたセットに基づいて決定され得る。決定されたＣＡ設定を設定するモジュール２２１０は、無線デバイスにおいて、決定されたＣＡ設定を設定するように動作し得る。遂行モジュール２２１５は、設定されたＣＡ設定の下で、１つまたは複数の動作タスクを遂行するよう動作し得る。
【０１３２】
図２３は、いくつかの実施形態による、本明細書で開示されたような動作を遂行する基地局ネットワークノード３００向けのモジュールを図解するものである。いくつかの実施形態が含む、ＣＡ設定を決定するモジュール２３０５は、複数の専用モードタイプおよび／または混合モードタイプのキャリア上でマルチキャストデータを受信するために、無線デバイス用のキャリアアグリゲーション（ＣＡ）設定を決定するように設定されている。ＣＡ設定は、キャリアの少なくとも一部分に関して１つまたは複数の受理できる特性の限界を定めるあらかじめ規定されたルール、複数のキャリア上でのマルチキャストデータの受信および復号に関する無線デバイスの能力、ならびに／あるいは受理できるＣＡ設定のあらかじめ規定されたセットに基づいて決定され得る。決定されたＣＡ設定を設定するモジュール２３１０は、無線デバイスにおいて、決定されたＣＡ設定を設定するように動作し得る。取得モジュール２３１５は、設定されたＣＡ設定の下で、１つまたは複数の動作タスクを遂行した結果を取得するよう動作し得る。
【０１３３】
図２４は、いくつかの実施形態による、本明細書で開示されたような動作を遂行するコアネットワークノード３２０向けのモジュールを図解するものである。いくつかの実施形態が含む、ＣＡ設定を決定するモジュール２４０５は、複数の専用モードタイプおよび／または混合モードタイプのキャリア上でマルチキャストデータを受信するために、無線デバイス用のキャリアアグリゲーション（ＣＡ）設定を決定するように設定されている。ＣＡ設定は、キャリアの少なくとも一部分に関して１つまたは複数の受理できる特性の限界を定めるあらかじめ規定されたルール、複数のキャリア上でのマルチキャストデータの受信および復号に関する無線デバイスの能力、ならびに／あるいは受理できるＣＡ設定のあらかじめ規定されたセットに基づいて決定され得る。決定されたＣＡ設定を設定するモジュール２４１０は、無線デバイスにおいて、決定されたＣＡ設定を設定するように動作し得る。取得モジュール２４１５は、設定されたＣＡ設定の下で、１つまたは複数の動作タスクを遂行した結果を取得するように動作し得る。
【０１３４】
いくつかの実施形態では、少なくとも１つのプロセッサが、コンピュータプログラムに含まれる命令を実行することにより、本明細書で説明された実施形態のうち任意のものによる仮想環境における無線アクセスノードの機能のうち１つまたは複数を実施する、無線アクセスノードまたは別のノードの機能性を実行する。
【０１３５】
開示された主題が、様々な実施形態を参照しながら上記に提示されているが、説明された実施形態に対して、開示された主題の全体的な範囲から逸脱することなく、形態および詳細における様々な変更がなされ得ることが理解されよう。
略語のリスト
ＭＢＭＳ  マルチメディアブロードキャストマルチキャストサービス
ＭＣＥ  マルチセル／マルチキャスト協調エンティティ
Ｔｘ  送信器
ＵＥ  ユーザ機器
ＢＳ  基地局
ＢＬＥＲ  ブロックエラー率
ｅＮＢ  発展型Ｎｏｄｅ  Ｂ、基地局
Ｅ−ＵＴＲＡＮ  発展型ユニバーサル地上無線アクセスネットワーク
Ｅ−ＵＴＲＡ  発展型ユニバーサル地上無線アクセス
Ｅ−ＵＴＲＡ  ＦＤＤ  Ｅ−ＵＴＲＡ周波数分割多重
Ｅ−ＵＴＲＡ  ＴＤＤ  Ｅ−ＵＴＲＡ時分割多重
ＬＴＥ  Ｌｏｎｇ  Ｔｅｒｍ  Ｅｖｏｌｕｔｉｏｎ
ＲＡＴ  無線アクセス技術
ＴＤＤ  時分割多重
ＷＬＡＮ  無線ローカルエリアネットワーク
ＤＬ  ダウンリンク
ＵＬ  アップリンク
ＳＩＮＲ  信号対干渉プラスノイズ比
ＳＮＲ  信号対ノイズ比
ＤＰＤ  デジタル予歪
ＩＭ  内部変調
ＴＰＣ  送信電力制御
【０１３６】
本開示の様々な実施形態の上記の説明において、本明細書で使用された専門用語は、特定の実施形態のみを説明するためのものであって、本発明を限定するようには意図されていないことを理解されたい。本明細書で使用されるすべての用語（技術用語および科学用語を含む）は、別様に規定されなければ、この開示が属する技術の当業者よって一般に理解されるものと同一の意味を有する。一般に使用される辞書において規定されたものなどの用語は、本明細書および関連する技術の状況では、それらの意味と一致する意味を有するように解釈されるべきであり、本明細書で明確に規定されなければ、理想化された意味または過度に形式的な意味には解釈されないはずであることがさらに理解されよう。
【０１３７】
要素が、別の要素に「接続されている」、「結合されている」、「応答する」、またはその変形を用いて参照されるときには、別の要素に対して直接接続され得、直接結合され得、もしくは直接応答し得、または介在要素があってもよい。対照的に、要素が、別の要素に「直接接続されている」、「直接結合されている」、「直接応答する」またはその変形を用いて参照されるときには、介在要素は存在しない。全体にわたって、類似の番号は類似の要素を指す。その上、本明細書で使用される、「結合された」、「接続された」、「応答する」、またはその変形は、無線での結合、接続、または応答を含み得る。本明細書で使用される、「１つの」および「その」といった単数形は、文脈が別様に明示しなければ、複数形も含むように意図されている。よく知られている機能または構造は、簡潔さおよび／または明瞭さのために、詳細には説明されないことがある。「および／または」という用語は、関連する列記された項目のうち１つまたは複数の、任意の組合せおよびあらゆる組合せを含む。
【０１３８】
本明細書では、様々な要素／動作を説明するために、第１の、第２の、第３の、などの用語が使用され得るが、これらの要素／動作がこれらの用語によって限定されるべきではないことが理解されよう。これらの用語は、１つの要素／動作を別の要素／動作から区別するためにのみ使用されるものである。したがって、いくつかの実施形態における第１の要素／動作は、本発明概念の教示から逸脱することなく、他の実施形態において第２の要素／動作と名付けられ得る。同一の参照数字または同一の参照記号は、本明細書の全体にわたって同一または類似の要素を表す。
【０１３９】
本明細書で使用される、「備える」、「含む」、「有する」という用語またはその変形はオープンエンドであり、１つまたは複数の明示された特徴、整数、要素、ステップ、コンポーネントもしくは機能を含むが、１つまたは複数の他の特徴、整数、要素、ステップ、コンポーネントもしくは機能、またはそれらのグループの存在もしくは追加を排除するものではない。その上、本明細書で使用される、ラテン語の慣用句「ｅｘｅｍｐｌｉ  ｇｒａｔｉａ」から導出された一般的な略語「たとえば」は、先に言及された項目の一般的な例を導入するかまたは指定するために使用され得、そのような項目を限定するようには意図されていない。ラテン語の慣用句「ｉｄ  ｅｓｔ」から導出された一般的な略語「すなわち」は、より一般的な記述から特定の項目を指定するために使用され得るものである。
【０１４０】
本明細書では、例示的実施形態が、コンピュータで実施される方法、装置（システムおよび／またはデバイス）ならびに／あるいはコンピュータプログラム製品のブロック図および／または流れ図を参照しながら説明されている。ブロック図および／または流れ図のブロック、ならびにブロック図および／または流れ図におけるブロックの組合せは、１つまたは複数のコンピュータ回路によって遂行されるコンピュータプログラム命令によって実施され得ることが理解される。これらのコンピュータプログラム命令は、マシンを生産するために、コンピュータおよび／または他のプログラム可能なデータ処理装置のプロセッサを通じて実行する命令が、トランジスタ、記憶場所に記憶された値、およびそのような回路構成の内部の他のハードウェアコンポーネントを変化させ、かつ制御するように、汎用コンピュータ回路、専用コンピュータ回路および／または他のプログラム可能なデータ処理回路のプロセッサ回路に供給されてよく、ブロック図および／または流れ図のブロックにおいて指定された機能／作用を実施することにより、ブロック図および／または流れ図のブロックにおいて指定された機能／行為を実施するための手段（機能性）および／または構造をもたらす。
【０１４１】
これらのコンピュータプログラム命令は、コンピュータ可読媒体に記憶された命令が、ブロック図および／または流れ図のブロックにおいて指定された機能／行為を実施する命令を含む製品を生産するように、コンピュータまたは他のプログラム可能なデータ処理装置を、特定のやり方で機能するように導くことができる有体のコンピュータ可読媒体に記憶されてもよい。
【０１４２】
有体の非一時的コンピュータ可読媒体は、電子的、磁気的、光学的、電磁的、または半導体の、データ記憶システム、装置、またはデバイスを含み得る。コンピュータ可読媒体のより具体的な例には、携帯用コンピュータディスケット、ランダムアクセスメモリ（ＲＡＭ）回路、読取り専用メモリ（ＲＯＭ）回路、消去可能プログラム可能読取り専用メモリ（ＥＰＲＯＭまたはフラッシュメモリ）回路、携帯用コンパクトディスクの読取り専用メモリ（ＣＤ−ＲＯＭ）、および携帯用デジタルビデオディスクの読取り専用メモリ（ＤＶＤ／ＢｌｕｅＲａｙ）が含まれることになる。
【０１４３】
コンピュータプログラム命令は、コンピュータ、および／またはコンピュータ上で一連の操作上のステップを遂行させる他のプログラム可能なデータ処理装置、および／またはコンピュータで実施されるプロセスを生成する他のプログラム可能な装置にロードされてもよく、コンピュータまたは他のプログラム可能な装置上で実行して、ブロック図および／または流れ図のブロックにおいて指定された機能／行為を実施するためのステップをもたらす。それゆえに、本開示の実施形態は、ハードウェアおよび／または総体として「回路構成」、「モジュール」またはその変形と称され得るデジタル信号プロセッサなどのプロセッサ上で動作するソフトウェア（ファームウェア、常駐ソフトウェア、マイクロコードなどを含む）で具現され得るものである。
【０１４４】
いくつかの代替実装形態では、ブロックにおいて言及した機能／行為は、流れ図で言及したものと異なる順番で生じてよいことにも留意されたい。たとえば、連続して示された２つのブロックは、包含されている機能／行為に依拠して、実際には実質的に同時に実行され得、時には逆順で実行されることもある。その上、流れ図および／またはブロック図の所与のブロックの機能性が複数のブロックに分離されてよく、かつ／または流れ図および／またはブロック図の２つ以上のブロックの機能性が少なくとも部分的に統合されてもよい。最後に、図解されたブロックの間に他のブロックが追加／挿入されてよい。その上、図のいくつかは通信の主要な方向を示すために通信経路上に矢印が含まれているが、通信は、表現された矢印の反対方向に生じる可能性があることを理解されたい。
【０１４５】
様々な実施形態が、上記の説明および図面に関連して本明細書で開示されてきた。これらの実施形態のすべての組合せおよび副組合せを文字通りに説明したり図解したりすることは、過度に反復が多く難読化するはずであることが理解されよう。それゆえに、図面を含む本明細書は、実施形態と、実施形態を作製して使用するやり方およびプロセスとの、様々な例示の組合せおよび副組合せの完全な書面の説明を構成すると解釈されるものとし、あらゆるそのような組合せまたは副組合せに対する特許請求の範囲をサポートするものとする。
【０１４６】
本発明概念の原理から実質的に逸脱することなく、実施形態に対する多くの変形形態および修正形態が作製され得る。そのような変形形態および修正形態のすべてが、本明細書における本発明概念の範囲内に含まれることが意図されている。それゆえに、上記で開示された主題は、例示であって限定するものではないと考えられるべきであり、実施形態の例は、本発明概念の趣旨および範囲に含まれるそのような修正形態、拡張、および他の実施形態のすべてを対象として含むように意図されている。したがって、本発明概念の範囲は、実施形態の例およびそれらの等価物を含む本開示の最も広範かつ許容可能な解釈によって、法律によって認められる最大の範囲に決定されるものとし、前述の詳細な説明によって制限されたり限定されたりすることはないものとする。
【図１】
0006911132.tif 000002
【図２Ａ】
0006911132.tif 000003
【図２Ｂ】
0006911132.tif 000004
【図３Ａ】
0006911132.tif 000005
【図３Ｂ】
0006911132.tif 000006
【図４】
0006911132.tif 000007
【図５】
0006911132.tif 000008
【図６】
0006911132.tif 000009
【図７】
0006911132.tif 000010
【図８】
0006911132.tif 000011
【図９】
0006911132.tif 000012
【図１０】
0006911132.tif 000013
【図１１】
0006911132.tif 000014
【図１２】
0006911132.tif 000015
【図１３】
0006911132.tif 000016
【図１４】
0006911132.tif 000017
【図１５】
0006911132.tif 000018
【図１６】
0006911132.tif 000019
【図１７】
0006911132.tif 000020
【図１８】
0006911132.tif 000021
【図１９】
0006911132.tif 000022
【図２０】
0006911132.tif 000023
【図２１】
0006911132.tif 000024
【図２２】
0006911132.tif 000025
【図２３】
0006911132.tif 000026
【図２４】
0006911132.tif 000027